(57)【要約】  本発明は、チャネル状態情報を送信するための方法及び装置を提供し、コードブック構造の制限により、従来技術では限られた精度でしかチャネル状態情報を提供することができず、無線通信システムには適していないという問題を解決する。当該方法は、端末は、候補ビームベクトル集合に従って、基底マトリックスを決定するステップと、前記Ｎは正の整数であり、前記端末は、前記基底マトリックス及びチャネル状態パラメータに従って、結合係数マトリックスを決定するステップと、前記端末は、前記基底マトリックスの識別子情報及び前記結合係数マトリックスを、基地局にフィードバックするステップとを備え、前記基底マトリックスは、前記候補ビームベクトル集合内のＮ個のビームベクトルにより構成されたマトリックスである。本発明は、チャネル状態情報フィードバックの精度を効果的に向上させ、マルチアンテナ送信、特にＭＵ−ＭＩＭＯ送信の性能を向上させる。【選択図】図５
2019531655.tif 000002
【特許請求の範囲】
【請求項１】
端末は、候補ビームベクトル集合に従って、基底マトリックスを決定するステップと、
前記端末は、前記基底マトリックス及びチャネル状態パラメータに従って、結合係数マトリックスを決定するステップと、
前記端末は、前記基底マトリックスの識別子情報及び前記結合係数マトリックスを、基地局にフィードバックするステップとを備え、
前記基底マトリックスは、前記候補ビームベクトル集合内のＮ個のビームベクトルにより構成されたマトリックスであり、前記Ｎは正の整数であることを特徴とするチャネル状態情報を送信するための方法。
【請求項２】
前記候補ビームベクトル集合は、事前に約定されるか、または前記基地局によって決定された後に前記端末に通知されることを特徴とする請求項１に記載のチャネル状態情報を送信するための方法。
【請求項３】
前記Ｎの値は、事前に約定されるか、または前記基地局によって決定された後に前記端末に通知されるか、または前記端末と前記基地局との間のチャネル条件に従って前記端末によって決定されることを特徴とする請求項１に記載のチャネル状態情報を送信するための方法。
【請求項４】
前記端末は、候補ビームベクトル集合に従って、基底マトリックスを決定する場合、
前記端末は、メトリックの降順で前記候補ビームベクトル集合から最初のＮ個の的ビームベクトルを選択し、選択されたＮ個のビームベクトルにより構成されたマトリックスを前記基底マトリックスとして決定し、または
前記端末は、Ｌ個のビームベクトルグループのうちの１つを選択し、Ｌ個のビームベクトルグループは、前記候補ビームベクトル集合中内のビームベクトルをグループ化することによって得られ、Ｌは正の整数であり、及び選択されたビームベクトルグループからＮ個のビームベクトルを選択し、選択されたＮ個のビームベクトルにより構成されたマトリックスを前記基底マトリックスとして決定し、または
前記端末は、前記候補ビームベクトル集合から、Ｔ個のビームベクトルを選択し、ＴはＮより大きい、及び前記Ｔ個のビームベクトルからＮ個のビームベクトルを選択し、選択されたＮ個のビームベクトルにより構成されたマトリックスを前記基底マトリックスとして決定することを特徴とする請求項１に記載のチャネル状態情報を送信するための方法。
【請求項５】
前記端末が前記Ｌ個のビームベクトルグループのうちの１つを選択する場合、
前記端末は、前記Ｌ個のビームベクトルグループから、最大のメトリックを有するビームベクトルの属するビームベクトルグループを選択し、または
前記端末は、各ビームベクトルグループそれぞれに対応するメトリックを決定し、最大のメトリックを有するビームベクトルグループを選択し、ここで、各ビームベクトルグループそれぞれに対応するメトリックは、前記ビームベクトルグループ内の各ビームベクトルのメトリックに対して事前設定操作を実行することによって得られる値であることを特徴とする請求項４に記載のチャネル状態情報を送信するための方法。
【請求項６】
前記Ｎ個のビームベクトルのうちの任意の２つは互いに直交しており、および／または各前記ビームベクトルグループ内の任意の２つのビームベクトルは互いに直交していることを特徴とする請求項４または請求項５に記載のチャネル状態情報を送信するための方法。
【請求項７】
前記端末は、Ｌ個のビームベクトルグループのうちの１つを選択し、及び選択されたビームベクトルグループからＮ個のビームベクトルを選択する場合、前記端末が、前記基底マトリックスの識別子情報を基地局にフィードバックすることは、
前記端末は、選択されたビームベクトルグループの識別子情報、及び選択されたビームベクトルグループ内の前記Ｎ個のビームベクトルの識別子情報を、前記基地局にフィードバックすることを特徴とする請求項４に記載のチャネル状態情報を送信するための方法。
【請求項８】
前記端末は、前記候補ビームベクトル集合から、Ｔ個のビームベクトルを選択し、及び前記Ｔ個のビームベクトルからＮ個のビームベクトルを選択する場合、前記端末が、前記基底マトリックスの識別子情報を基地局にフィードバックすることは、
前記端末は、前記Ｔ個のビームベクトルの識別子情報を第１レベルの識別子情報として前記基地局にフィードバックし、及び前記端末は、前記Ｔ個のビームベクトルのうちの前記Ｎ個のビームベクトルの識別子情報を第２レベルの識別子情報として前記基地局にフィードバックすることを特徴とする請求項４に記載のチャネル状態情報を送信するための方法。
【請求項９】
前記第１レベルの識別子情報と前記第２レベルの識別子情報は、異なる時刻にフィードバックされ、または
前記第１レベルの識別子情報と前記第２レベルの識別子情報は、異なる帯域幅に対して同じ時刻にフィードバックされ、または
前記第１レベルの識別子情報と前記第２レベルの識別子情報は、異なる帯域幅に対して異なる時刻にフィードバックされることを特徴とする請求項８に記載のチャネル状態情報を送信するための方法。
【請求項１０】
前記端末が、前記基底マトリックスの識別子情報を基地局にフィードバックすることは、
前記端末は、前記候補ビームベクトル集合内の前記Ｎ個のビームベクトルの識別子情報を、前記基地局にフィードバックし、または
前記端末は、前記Ｎ個のビームベクトルの一部または全部のビームベクトルの識別子情報のジョイント・エンコード情報を、前記基地局にフィードバックし、または
前記端末は、前記候補ビームベクトル集合内の前記Ｎ個のビームベクトルのうち最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報を、前記基地局にフィードバックすることを特徴とする請求項１ないし請求項８のいずれか１項に記載のチャネル状態情報を送信するための方法。
【請求項１１】
前記端末は、前記Ｎ個のビームベクトルの一部または全部のビームベクトルの識別子情報のジョイント・エンコード情報を、前記基地局にフィードバックする場合、
前記端末は、前記候補ビームベクトル集合内の前記Ｎ個のビームベクトルの識別子情報のジョイント・エンコード情報を、前記基地局にフィードバックし、または
前記端末は、前記候補ビームベクトル集合内の前記Ｎ個のビームベクトルのうち最大のメトリックを有するビームベクトルの識別子情報、及び前記候補ビームベクトル集合内の残りＮ−１個のビームベクトルの識別子情報のジョイント・エンコード情報を、前記基地局にフィードバックし、または
前記端末は、前記候補ビームベクトル集合内の前記Ｎ個のビームベクトルのうち最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報のジョイント・エンコード情報を、前記基地局にフィードバックすることを特徴とする請求項１０に記載のチャネル状態情報を送信するための方法。
【請求項１２】
前記端末は、前記Ｎ個のビームベクトル内の前記Ｎ個のビームベクトルのうちの最大のメトリックを有するビームベクトルの識別子情報を、前記基地局にフィードバックすることを特徴とする請求項１に記載のチャネル状態情報を送信するための方法。
【請求項１３】
前記端末は、前記基底マトリックス及びチャネル状態パラメータに従って、結合係数マトリックスを決定した後、
前記端末は、前記基底マトリックス及び前記結合係数マトリックスに従って、プリコーディングマトリックスを決定し、
前記端末は、前記プリコーディングマトリックスに従って、チャネル品質指標（ＣＱＩ）を決定し、及び
前記端末は、前記ＣＱＩを前記基地局にフィードバックすることを特徴とする請求項１に記載のチャネル状態情報を送信するための方法。
【請求項１４】
基地局は、端末によってフィードバックされた基底マトリックスの識別子情報及び結合係数マトリックスを受信するステップと、
前記基地局は、前記基底マトリックスの識別子情報に従って、候補ビームベクトル集合からＮ個のビームベクトルを決定するステップと、
前記基地局は、前記基底マトリックス及び前記結合係数マトリックスに従って、前記端末とのダウンリンク送信のためのプリコーディングマトリックスを決定するステップとを備え、
前記Ｎ個のビームベクトルは前記基底マトリックスを構成し、前記Ｎは正の整数であることを特徴とするチャネル状態情報を受信するための方法。
【請求項１５】
前記候補ビームベクトル集合は、事前に約定されるか、または前記基地局によって決定された後に前記端末に通知されることを特徴とする請求項１４に記載のチャネル状態情報を受信するための方法。
【請求項１６】
前記Ｎの値は、事前に約定されるか、または前記基地局によって決定された後に前記端末に通知されるか、または前記端末と前記基地局との間のチャネル測定の結果として前記端末によって決定され、基地局にフィードバックされることを特徴とする請求項１４に記載のチャネル状態情報を受信するための方法。
【請求項１７】
前記基地局が前記端末によってフィードバックされた基底マトリックスの識別子情報を受信する場合、
前記基地局は、前記端末によってフィードバックされた前記候補ビームベクトル集合内の前記Ｎ個のビームベクトルの識別子情報を受信し、または
前記基地局は、前記端末によってフィードバックされた前記Ｎ個のビームベクトルの一部または全部のビームベクトルの識別子情報のジョイント・エンコード情報を受信し、または
前記基地局は、前記端末によってフィードバックされた前記端末によって選択されたビームベクトルグループの識別子情報、及び選択されたビームベクトルグループ内の前記Ｎ個のビームベクトルの識別子情報を受信し、前記ビームベクトルグループは、前記候補ビームベクトル集合内の一部のビームベクトルより構成され、または
前記基地局は、前記候補ビームベクトル集合内の前記端末によってフィードバックされた前記Ｎ個のビームベクトル内の最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報を受信し、または
前記基地局は、前記端末によってフィードバックされた第１レベルの識別子情報及び第２レベルの識別子情報を受信し、前記第１レベルの識別子情報は、前記候補ビームベクトル集合から前記端末によって選択されたＴ個のビームベクトルの識別子情報であり、前記第２レベルの識別子情報は、前記Ｔ個のビームベクトルのうちの前記Ｎ個のビームベクトルの識別子情報であることを特徴とする請求項１４ないし請求項１６のいずれか１項に記載のチャネル状態情報を受信するための方法。
【請求項１８】
前記基地局が、前記端末によってフィードバックされた前記Ｎ個のビームベクトルの一部または全部のビームベクトルの識別子情報のジョイント・エンコード情報を受信する場合、
前記基地局は、前記候補ビームベクトル集合内の前記端末によってフィードバックされた前記Ｎ個のビームベクトルの識別子情報のジョイント・エンコード情報を受信し、または
前記基地局は、前記候補ビームベクトル集合内の前記端末によってフィードバックされた前記Ｎ個のビームベクトル内の最大のメトリックを有するビームベクトルの識別子情報、及び前記候補ビームベクトル集合内の残りＮ−１個のビームベクトルの識別子情報のジョイント・エンコード情報を受信し、または
前記基地局は、前記候補ビームベクトル集合内の前記端末によってフィードバックされた前記Ｎ個のビームベクトル内の最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報のジョイント・エンコード情報を受信することを特徴とする請求項１７に記載のチャネル状態情報を受信するための方法。
【請求項１９】
前記第１レベルの識別子情報と前記第２レベルの識別子情報は、異なる時刻にフィードバックされ、または
前記第１レベルの識別子情報と前記第２レベルの識別子情報は、異なる帯域幅に対して同じ時刻にフィードバックされ、または
前記第１レベルの識別子情報と前記第２レベルの識別子情報は、異なる帯域幅に対して異なる時刻にフィードバックされることを特徴とする請求項１７に記載のチャネル状態情報を受信するための方法。
【請求項２０】
前記基地局は、前記端末によってフィードバックされた前記Ｎ個のビームベクトルの中で、Ｎ個のビームベクトルの中で最大のメトリックを有するビームベクトルの識別子情報を受信することを特徴とする請求項１７に記載のチャネル状態情報を受信するための方法。
【請求項２１】
候補ビームベクトル集合に従って、基底マトリックスを決定するように構成される、基底マトリックス決定モジュールと、
前記基底マトリックス及びチャネル状態パラメータに従って、結合係数マトリックスを決定するように構成される、結合係数決定モジュールと、
前記基底マトリックスの識別子情報及び前記結合係数マトリックスを、基地局にフィードバックするように構成される、フィードバックモジュールと
を備え、
前記基底マトリックスは、前記候補ビームベクトル集合内のＮ個のビームベクトルにより構成されたマトリックスであり、前記Ｎは正の整数であることを特徴とする端末。
【請求項２２】
前記基底マトリックス決定モジュールは、
前記候補ビームベクトル集合から、メトリックの降順で最初のＮ個の的ビームベクトルを選択し、選択されたＮ個のビームベクトルにより構成されたマトリックスを前記基底マトリックスとして決定し、または
Ｌ個のビームベクトルグループのうちの１つを選択し、Ｌ個のビームベクトルグループは、前記候補ビームベクトル集合中内のビームベクトルをグループ化することによって得られ、Ｌは正の整数であり、及び選択されたビームベクトルグループからＮ個のビームベクトルを選択し、選択されたＮ個のビームベクトルにより構成されたマトリックスを前記基底マトリックスとして決定し、または
前記候補ビームベクトル集合から、Ｔ個のビームベクトルを選択し、ＴはＮより大きい、及び前記Ｔ個のビームベクトルからＮ個のビームベクトルを選択し、選択されたＮ個のビームベクトルにより構成されたマトリックスを前記基底マトリックスとして決定することを特徴とする請求項２１に記載の端末。
【請求項２３】
前記基底マトリックス決定モジュールは、
前記Ｌ個のビームベクトルグループから、最大のメトリックを有するビームベクトルの属するビームベクトルグループを選択し、または
各ビームベクトルグループそれぞれに対応するメトリックを決定し、最大のメトリックを有するビームベクトルグループを選択し、ここで、各ビームベクトルグループそれぞれに対応するメトリックは、前記ビームベクトルグループ内の各ビームベクトルのメトリックに対して事前設定操作を実行することによって得られる値であることを特徴とする請求項２２に記載の端末。
【請求項２４】
前記フィードバックモジュールは、
選択されたビームベクトルグループの識別子情報、及び選択されたビームベクトルグループ内の前記Ｎ個のビームベクトルの識別子情報を、前記基地局にフィードバックすることを特徴とする請求項２２に記載の端末。
【請求項２５】
前記フィードバックモジュールは、
前記Ｔ個のビームベクトルの識別子情報を第１レベルの識別子情報として前記基地局にフィードバックし、
及び
前記Ｔ個のビームベクトルのうちの前記Ｎ個のビームベクトルの識別子情報を第２レベルの識別子情報として前記基地局にフィードバックすることを特徴とする請求項２２に記載の端末。
【請求項２６】
前記フィードバックモジュールは、
前記候補ビームベクトル集合内の前記Ｎ個のビームベクトルの識別子情報を、前記基地局にフィードバックし、または
前記Ｎ個のビームベクトルの一部または全部のビームベクトルの識別子情報のジョイント・エンコード情報を、前記基地局にフィードバックし、または
前記候補ビームベクトル集合内の前記Ｎ個のビームベクトルのうち最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報を、前記基地局にフィードバックすることを特徴とする請求項２１ないし請求項２５のいずれか１項に記載の端末。
【請求項２７】
前記フィードバックモジュールは、
前記候補ビームベクトル集合内の前記Ｎ個のビームベクトルの識別子情報のジョイント・エンコード情報を、前記基地局にフィードバックし、または
前記候補ビームベクトル集合内の前記Ｎ個のビームベクトルのうち最大のメトリックを有するビームベクトルの識別子情報、及び前記候補ビームベクトル集合内の残りＮ−１個のビームベクトルの識別子情報のジョイント・エンコード情報を、前記基地局にフィードバックし、または
前記候補ビームベクトル集合内の前記Ｎ個のビームベクトルのうち最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報のジョイント・エンコード情報を、前記基地局にフィードバックすることを特徴とする請求項２６に記載の端末。
【請求項２８】
前記フィードバックモジュールは、
前記Ｎ個のビームベクトル内の前記Ｎ個のビームベクトルのうちの最大のメトリックを有するビームベクトルの識別子情報を、前記基地局にフィードバックすることを特徴とする請求項２１に記載の端末。
【請求項２９】
前記基底マトリックス及び前記結合係数マトリックスに従って、プリコーディングマトリックスを決定し、及び前記プリコーディングマトリックスに従って、ＣＱＩを決定するように構成される、ＣＱＩ決定モジュールをさらに備え、
前記フィードバックモジュールは、前記ＣＱＩを前記基地局にフィードバックすることを特徴とする請求項２１に記載の端末。
【請求項３０】
端末によってフィードバックされた基底マトリックスの識別子情報及び結合係数マトリックスを受信するように構成される、受信モジュールと、
前記基底マトリックスの識別子情報に従って、候補ビームベクトル集合から前記基底マトリックス内のＮ個のビームベクトルを決定するように構成される、第１の決定モジュールと、
前記基底マトリックス及び前記結合係数マトリックスに従って、前記端末とのダウンリンク送信のためのプリコーディングマトリックスを決定するように構成される、第２の決定モジュールと
を備え
前記Ｎ個のビームベクトルは前記基底マトリックスを構成し、前記Ｎは正の整数であることを特徴とする基地局。
【請求項３１】
前記受信モジュールは、
前記端末によってフィードバックされた前記候補ビームベクトル集合内の前記Ｎ個のビームベクトルの識別子情報を受信し、または
前記端末によってフィードバックされた前記Ｎ個のビームベクトルの一部または全部のビームベクトルの識別子情報のジョイント・エンコード情報を受信し、または
前記端末によってフィードバックされた前記端末によって選択されたビームベクトルグループの識別子情報、及び選択されたビームベクトルグループ内の前記Ｎ個のビームベクトルの識別子情報を受信し、または
前記候補ビームベクトル集合内の前記端末によってフィードバックされた前記Ｎ個のビームベクトル内の最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報を受信し、または
前記端末によってフィードバックされた第１レベルの識別子情報及び第２レベルの識別子情報を受信し、前記第１レベルの識別子情報は、前記候補ビームベクトル集合から前記端末によって選択されたＴ個のビームベクトルの識別子情報であり、前記第２レベルの識別子情報は、前記Ｔ個のビームベクトルのうちの前記Ｎ個のビームベクトルの識別子情報であることを特徴とする請求項３０に記載の基地局。
【請求項３２】
前記受信モジュールは、
前記候補ビームベクトル集合内の前記端末によってフィードバックされた前記Ｎ個のビームベクトルの識別子情報のジョイント・エンコード情報を受信し、または
前記候補ビームベクトル集合内の前記端末によってフィードバックされた前記Ｎ個のビームベクトル内の最大のメトリックを有するビームベクトルの識別子情報、及び前記候補ビームベクトル集合内の残りＮ−１個のビームベクトルの識別子情報のジョイント・エンコード情報を受信し、または
前記候補ビームベクトル集合内の前記端末によってフィードバックされた前記Ｎ個のビームベクトル内の最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報のジョイント・エンコード情報を受信することを特徴とする請求項３１に記載の基地局。
【請求項３３】
前記受信モジュールは、
前記端末によってフィードバックされた前記Ｎ個のビームベクトルの中で、Ｎ個のビームベクトルの中で最大のメトリックを有するビームベクトルの識別子情報を受信することを特徴とする請求項３１に記載の基地局。
【請求項３４】
プロセッサと、送受信機と、メモリとを備え、
前記プロセッサは、前記メモリ内のプログラムを読み出して実行するように構成されており、候補ビームベクトル集合に従って、基底マトリックスを決定し、前記基底マトリックスは、前記候補ビームベクトル集合内のＮ個のビームベクトルにより構成されたマトリックスであり、前記Ｎは正の整数であり、前記基底マトリックス及びチャネル状態パラメータに従って、結合係数マトリックスを決定し、及び、前記基底マトリックスの識別子情報及び前記結合係数マトリックスを、前記送受信機を介して、基地局にフィードバックし、
前記送受信機は、前記プロセッサの制御下でデータを送受信するように構成されることを特徴とする装置。
【請求項３５】
プロセッサと、送受信機と、メモリとを備え、
前記プロセッサは、前記メモリ内のプログラムを読み出して実行するように構成されており、前記送受信機を介して、端末によってフィードバックされた基底マトリックスの識別子情報及び結合係数マトリックスを受信し、前記基底マトリックスの識別子情報に従って、候補ビームベクトル集合からＮ個のビームベクトルを決定し、前記Ｎ個のビームベクトルは前記基底マトリックスを構成し、前記Ｎは正の整数であり、及び、前記基底マトリックス及び前記結合係数マトリックスに従って、前記端末とのダウンリンク送信のためのプリコーディングマトリックスを決定し、
前記送受信機は、前記プロセッサの制御下でデータを送受信するように構成されることを特徴とする装置。
【請求項３６】
コンピュータに請求項１ないし請求項１３のいずれか一項に記載の方法を実行させるように構成されたコンピュータ実行可能命令を格納するコンピュータ記憶媒体。
【請求項３７】
コンピュータに請求項１４ないし請求項２０のいずれか１項に記載の方法を実行させるように構成されたコンピュータ実行可能命令を格納するコンピュータ記憶媒体。
【発明の詳細な説明】
【技術分野】
【０００１】
＜関連出願の相互参照＞
本出願は、２０１６年９月２９日に中国特許局に提出し、出願番号が２０１６１０８６７８０３.６であり、発明名称が「チャネル状態情報を送信するための方法及び装置」との中国特許出願を基礎とする優先権を主張し、その開示の総てをここに取り込む。
本発明は無線通信技術分野に関し、特にチャネル状態情報を送信するための方法及び装置に関する。
【背景技術】
【０００２】
閉ループプリコーディングの技術は、スペクトル周波数を改善するためにロングタームエボリューション（Ｌｏｎｇ Ｔｅｒｍ Ｅｖｏｌｕｔｉｏｎ，ＬＴＥ）リリース８（Ｒｅｌ − ８）システムに導入されてきた。コードブックと呼ばれる同じ集合のプリコーディングマトリックスは、閉ループプリコーディングの技術に要求されるように、基地局とＵＥ（端末）の両方に格納されるものとする。ＵＥは、セル共通パイロットに従ってチャネル情報を推定した後、何らかの基準でコードブックからプリコーディングマトリックスを選択する。選択の基準は、最大量の交換情報、最大出力信号対干渉雑音比などであり得る。ＵＥは、コードブック内の選択されたプリコーディングマトリックスのインデックスをアップリンクチャネル上で基地局にフィードバックし、ここでインデックスはプリコーディングマトリックスインジケータ（Ｐｒｅｃｏｄｉｎｇ Ｍａｔｒｉｘ Ｉｎｄｉｃａｔｏｒ，ＰＭＩ）と呼ばれる。基地局は、受信したインデックスに従って、ＵＥに適用されるべきプリコーディングマトリックスを決定することができる。ＵＥによって報告されたプリコーディングマトリックスは、チャネル状態情報の量子化値と見なすことができる。
【０００３】
既存のセルラシステムでは、図１および図２に示すように、基地局内のアンテナアレイは通常水平に配置されている（すなわち線形アレイ）。基地局の送信端のビームは水平方向にしか調整することができず、各ＵＥの垂直方向には一定の下向き傾斜角があるので、様々なビームフォーミング／プリコーディング技術などは水平方向のチャネル情報に従うものである。実際、無線信号は空間内で３次元に伝搬され、システムの性能は固定された下向きの傾斜角で最適化することはできないので、垂直方向のビーム調整はシステムの性能の改善にとって非常に重要である。アンテナ技術の発展と共に、それぞれのアレイ素子が別々に制御可能な能動アンテナのアレイ、例えば図３に示されるような二重偏波アンテナの２次元配置、および図４に示すようなライナアレイアンテナの２次元配置のアンテナが業界において出現した。このような２次元アンテナアレイ（平面アレイ）では、垂直方向にビームを動的に調整することが可能である。基地局はまた、ＵＥによって報告されたチャネル状態情報を使用して３次元でビームフォーミング／プリコーディングを実行する必要がある。ＬＴＥ Ｒｅｌ−１３は、線形アレイに適用されたコードブックを拡張して平面アレイのコードブックを取得するので、ＵＥはチャネル状態情報をフィードバックすることができる。
【０００４】
３ＧＰＰ ＬＴＥ／ＬＴＥ−ＡおよびＩＥＥＥ ８０２．１６シリーズの規格では、様々なコードブックが、異なる数のアンテナ、アンテナモダリティ、アプリケーションシナリオなどのために設計されているが、コードブック構造の制限のために、これらのコードブックベースのフィードバック態様ではチャネル状態情報の精度が制限されており、高度な前処理アルゴリズムを使用する送信態様、例えばマルチユーザマルチ入力マルチ出力（（Ｍｕｌｔｉｐｌｅ−ｕｓｅｒ ＭＩＭＯ， ＭＵ−ＭＩＭＯ；Ｍｕｌｔｉｐｌｅ Ｉｎｐｕｔ Ｍｕｌｔｉｐｌｅ Ｏｕｔｐｕｔ， ＭＩＭＯ）に適用できない可能性がある。
【発明の概要】
【発明が解決しようとする課題】
【０００５】
本発明の実施例は、チャネル状態情報を送信するための方法及び装置を提供し、コードブック構造の制限のために、これらのコードブックベースのフィードバック案により提供されるチャネル状態情報の精度が制限され、チャネル状態情報が基地局側で高度な前処理アルゴリズムを使用する送信態様には適用できない従来の問題点を解決する。
【課題を解決するための手段】
【０００６】
第１の態様によれば、チャネル状態情報を送信するための方法は、
端末は、候補ビームベクトル集合に従って、基底マトリックス（ｂａｓｉｓ ｍａｔｒｉｘ）を決定するステップであって、前記基底マトリックスは、前記候補ビームベクトル集合内のＮ個のビームベクトルにより構成されたマトリックスであり、前記Ｎは正の整数である決定するステップと、
前記端末は、前記基底マトリックス及びチャネル状態パラメータに従って、結合係数マトリックスを決定するステップと、
前記端末は、前記基底マトリックスの識別子情報及び前記結合係数マトリックスを、基地局にフィードバックするステップとを備える。
【０００７】
１つの実施可能の形態では、前記候補ビームベクトル集合は、事前に約定されるか、または前記基地局によって決定された後に前記端末に通知される。
【０００８】
１つの実施可能の形態では、前記Ｎの値は、事前に約定されるか、または前記基地局によって決定された後に前記端末に通知されるか、または前記端末と前記基地局との間のチャネル条件に従って前記端末によって決定される。
【０００９】
１つの実施可能の形態では、前記端末が、候補ビームベクトル集合に従って、基底マトリックスを決定する場合、
前記端末は、メトリックの降順で前記候補ビームベクトル集合から最初のＮ個の的ビームベクトルを選択し、選択されたＮ個のビームベクトルにより構成されたマトリックスを前記基底マトリックスとして決定し、または
前記端末は、Ｌ個のビームベクトルグループのうちの１つを選択し、Ｌ個のビームベクトルグループは、前記候補ビームベクトル集合中内のビームベクトルをグループ化することによって得られ、Ｌは正の整数であり、及び選択されたビームベクトルグループからＮ個のビームベクトルを選択し、選択されたＮ個のビームベクトルにより構成されたマトリックスを前記基底マトリックスとして決定し、または
前記端末は、前記候補ビームベクトル集合から、Ｔ個のビームベクトルを選択し、ＴはＮより大きい、及び前記Ｔ個のビームベクトルからＮ個のビームベクトルを選択し、選択されたＮ個のビームベクトルにより構成されたマトリックスを前記基底マトリックスとして決定する。
【００１０】
また、前記端末が前記Ｌ個のビームベクトルグループのうちの１つを選択する場合、前記端末は、前記Ｌ個のビームベクトルグループから、最大のメトリックを有するビームベクトルの属するビームベクトルグループを選択し、または、前記端末は、各ビームベクトルグループそれぞれに対応するメトリックを決定し、最大のメトリックを有するビームベクトルグループを選択し、ここで、各ビームベクトルグループそれぞれに対応するメトリックは、前記ビームベクトルグループ内の各ビームベクトルのメトリックに対して事前設定操作を実行することによって得られる値である。
【００１１】
１つの実施可能の形態では、前記Ｎ個のビームベクトルのうちの任意の２つは互いに直交しており、および／または各前記ビームベクトルグループ内の任意の２つのビームベクトルは互いに直交している。
【００１２】
１つの実施可能の形態では、前記端末が、前記基底マトリックスの識別子情報を基地局にフィードバックすることは、前記端末は、前記候補ビームベクトル集合内の前記Ｎ個のビームベクトルの識別子情報を、前記基地局にフィードバックし、または、前記端末は、前記Ｎ個のビームベクトルの一部または全部のビームベクトルの識別子情報のジョイント・エンコード情報を、前記基地局にフィードバックし、または、前記端末は、前記候補ビームベクトル集合内の前記Ｎ個のビームベクトルのうち最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報を、前記基地局にフィードバックする。
【００１３】
また、前記端末が、前記Ｎ個のビームベクトルの一部または全部のビームベクトルの識別子情報のジョイント・エンコード情報を、前記基地局にフィードバックする場合、前記端末は、前記候補ビームベクトル集合内の前記Ｎ個のビームベクトルの識別子情報のジョイント・エンコード情報を、前記基地局にフィードバックし、または、前記端末は、前記候補ビームベクトル集合内の前記Ｎ個のビームベクトルのうち最大のメトリックを有するビームベクトルの識別子情報、及び前記候補ビームベクトル集合内の残りＮ−１個のビームベクトルの識別子情報のジョイント・エンコード情報を、前記基地局にフィードバックし、または、前記端末は、前記候補ビームベクトル集合内の前記Ｎ個のビームベクトルのうち最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報のジョイント・エンコード情報を、前記基地局にフィードバックする。
【００１４】
１つの実施可能の形態では、前記端末は、Ｌ個のビームベクトルグループのうちの１つを選択し、及び選択されたビームベクトルグループからＮ個のビームベクトルを選択する場合、前記端末が、前記基底マトリックスの識別子情報を基地局にフィードバックすることは、前記端末は、選択されたビームベクトルグループの識別子情報、及び選択されたビームベクトルグループ内の前記Ｎ個のビームベクトルの識別子情報を、前記基地局にフィードバックする。
【００１５】
１つの実施可能の形態では、前記端末は、前記候補ビームベクトル集合から、Ｔ個のビームベクトルを選択し、及び前記Ｔ個のビームベクトルからＮ個のビームベクトルを選択する場合、前記端末が、前記基底マトリックスの識別子情報を基地局にフィードバックすることは、前記端末は、前記Ｔ個のビームベクトルの識別子情報を第１レベルの識別子情報として前記基地局にフィードバックし、及び前記端末は、前記Ｔ個のビームベクトルのうちの前記Ｎ個のビームベクトルの識別子情報を第２レベルの識別子情報として前記基地局にフィードバックする。
【００１６】
１つの実施可能の形態では、前記第１レベルの識別子情報と前記第２レベルの識別子情報は、異なる時刻にフィードバックされ、または、前記第１レベルの識別子情報と前記第２レベルの識別子情報は、異なる帯域幅に対して同じ時刻にフィードバックされ、または、前記第１レベルの識別子情報と前記第２レベルの識別子情報は、異なる帯域幅に対して異なる時刻にフィードバックされる。
【００１７】
１つの実施可能の形態では、前記方法では、前記端末は、前記Ｎ個のビームベクトル内の前記Ｎ個のビームベクトルのうちの最大のメトリックを有するビームベクトルの識別子情報を、前記基地局にフィードバックする。
【００１８】
１つの実施可能の形態では、前記端末は、前記基底マトリックス及びチャネル状態パラメータに従って、結合係数マトリックスを決定した後、前記端末は、前記基底マトリックス及び前記結合係数マトリックスに従って、プリコーディングマトリックスを決定し、前記端末は、前記プリコーディングマトリックスに従って、チャネル品質指標（ＣＱＩ）を決定し、及び、前記端末は、前記ＣＱＩを前記基地局にフィードバックする。
【００１９】
第２の態様によれば、チャネル状態情報を受信するための方法は、
基地局は、端末によってフィードバックされた基底マトリックスの識別子情報及び結合係数マトリックスを受信するステップと、
前記基地局は、前記基底マトリックスの識別子情報に従って、候補ビームベクトル集合からＮ個のビームベクトルを決定するステップであって、前記Ｎ個のビームベクトルは前記基底マトリックスを構成し、前記Ｎは正の整数である前記決定するステップと、
前記基地局は、前記基底マトリックス及び前記結合係数マトリックスに従って、前記端末とのダウンリンク送信のためのプリコーディングマトリックスを決定するステップとを備える。
【００２０】
１つの実施可能の形態では、前記候補ビームベクトル集合は、事前に約定されるか、または前記基地局によって決定された後に前記端末に通知される。
【００２１】
１つの実施可能の形態では、前記Ｎの値は、事前に約定されるか、または前記基地局によって決定された後に前記端末に通知されるか、または前記端末と前記基地局との間のチャネル測定の結果として前記端末によって決定され、基地局にフィードバックされる。
【００２２】
１つの実施可能の形態では、前記基地局が前記端末によってフィードバックされた基底マトリックスの識別子情報を受信する場合、前記基地局は、前記端末によってフィードバックされた前記候補ビームベクトル集合内の前記Ｎ個のビームベクトルの識別子情報を受信し、または、前記基地局は、前記端末によってフィードバックされた前記Ｎ個のビームベクトルの一部または全部のビームベクトルの識別子情報のジョイント・エンコード情報を受信し、または、前記基地局は、前記端末によってフィードバックされた前記端末によって選択されたビームベクトルグループの識別子情報、及び選択されたビームベクトルグループ内の前記Ｎ個のビームベクトルの識別子情報を受信し、前記ビームベクトルグループは、前記候補ビームベクトル集合内の一部のビームベクトルより構成され、または、前記基地局は、前記候補ビームベクトル集合内の前記端末によってフィードバックされた前記Ｎ個のビームベクトル内の最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報を受信し、または、前記基地局は、前記端末によってフィードバックされた第１レベルの識別子情報及び第２レベルの識別子情報を受信し、前記第１レベルの識別子情報は、前記候補ビームベクトル集合から前記端末によって選択されたＴ個のビームベクトルの識別子情報であり、前記第２レベルの識別子情報は、前記Ｔ個のビームベクトルのうちの前記Ｎ個のビームベクトルの識別子情報である。
【００２３】
また、前記基地局が、前記端末によってフィードバックされた前記Ｎ個のビームベクトルの一部または全部のビームベクトルの識別子情報のジョイント・エンコード情報を受信する場合、前記基地局は、前記候補ビームベクトル集合内の前記端末によってフィードバックされた前記Ｎ個のビームベクトルの識別子情報のジョイント・エンコード情報を受信し、または、前記基地局は、前記候補ビームベクトル集合内の前記端末によってフィードバックされた前記Ｎ個のビームベクトル内の最大のメトリックを有するビームベクトルの識別子情報、及び前記候補ビームベクトル集合内の残りＮ−１個のビームベクトルの識別子情報のジョイント・エンコード情報を受信し、または、前記基地局は、前記候補ビームベクトル集合内の前記端末によってフィードバックされた前記Ｎ個のビームベクトル内の最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報のジョイント・エンコード情報を受信する。
【００２４】
１つの実施可能の形態では、前記第１レベルの識別子情報と前記第２レベルの識別子情報は、異なる時刻にフィードバックされ、または、前記第１レベルの識別子情報と前記第２レベルの識別子情報は、異なる帯域幅に対して同じ時刻にフィードバックされ、または、前記第１レベルの識別子情報と前記第２レベルの識別子情報は、異なる帯域幅に対して異なる時刻にフィードバックされる。
【００２５】
１つの実施可能の形態では、前記方法では、前記基地局は、前記端末によってフィードバックされた前記Ｎ個のビームベクトルの中で、Ｎ個のビームベクトルの中で最大のメトリックを有するビームベクトルの識別子情報を受信する。
【００２６】
第３の態様では、第１の態様による方法を実行するように構成された実行可能プログラムコードを格納するコンピュータ可読記憶媒体が提供される。
【００２７】
第４の態様では、第２の態様による方法を実行するように構成された実行可能プログラムコードを格納するコンピュータ可読記憶媒体が提供される。
【００２８】
第５の態様によれば、端末は、
候補ビームベクトル集合に従って、基底マトリックスを決定するように構成される、基底マトリックス決定モジュールと、前記基底マトリックス及びチャネル状態パラメータに従って、結合係数マトリックスを決定するように構成される、結合係数決定モジュールと、
前記基底マトリックスの識別子情報及び前記結合係数マトリックスを、基地局にフィードバックするように構成される、フィードバックモジュールとを備え、
前記基底マトリックスは、前記候補ビームベクトル集合内のＮ個のビームベクトルにより構成されたマトリックスであり、前記Ｎは正の整数である。
【００２９】
１つの実施可能の形態では、前記基底マトリックス決定モジュールは、前記候補ビームベクトル集合から、メトリックの降順で最初のＮ個の的ビームベクトルを選択し、選択されたＮ個のビームベクトルにより構成されたマトリックスを前記基底マトリックスとして決定し、または、Ｌ個のビームベクトルグループのうちの１つを選択し、Ｌ個のビームベクトルグループは、前記候補ビームベクトル集合中内のビームベクトルをグループ化することによって得られ、Ｌは正の整数であり、及び選択されたビームベクトルグループからＮ個のビームベクトルを選択し、選択されたＮ個のビームベクトルにより構成されたマトリックスを前記基底マトリックスとして決定し、または、前記候補ビームベクトル集合から、Ｔ個のビームベクトルを選択し、ＴはＮより大きい、及び前記Ｔ個のビームベクトルからＮ個のビームベクトルを選択し、選択されたＮ個のビームベクトルにより構成されたマトリックスを前記基底マトリックスとして決定する。
【００３０】
また、前記基底マトリックス決定モジュールは、前記Ｌ個のビームベクトルグループから、最大のメトリックを有するビームベクトルの属するビームベクトルグループを選択し、または、各ビームベクトルグループそれぞれに対応するメトリックを決定し、最大のメトリックを有するビームベクトルグループを選択し、ここで、各ビームベクトルグループそれぞれに対応するメトリックは、前記ビームベクトルグループ内の各ビームベクトルのメトリックに対して事前設定操作を実行することによって得られる値である。
【００３１】
１つの実施可能の形態では、前記フィードバックモジュールは、前記候補ビームベクトル集合内の前記Ｎ個のビームベクトルの識別子情報を、前記基地局にフィードバックし、または、前記Ｎ個のビームベクトルの一部または全部のビームベクトルの識別子情報のジョイント・エンコード情報を、前記基地局にフィードバックし、または、前記候補ビームベクトル集合内の前記Ｎ個のビームベクトルのうち最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報を、前記基地局にフィードバックする。
【００３２】
また、前記フィードバックモジュールは、前記候補ビームベクトル集合内の前記Ｎ個のビームベクトルの識別子情報のジョイント・エンコード情報を、前記基地局にフィードバックし、または、前記候補ビームベクトル集合内の前記Ｎ個のビームベクトルのうち最大のメトリックを有するビームベクトルの識別子情報、及び前記候補ビームベクトル集合内の残りＮ−１個のビームベクトルの識別子情報のジョイント・エンコード情報を、前記基地局にフィードバックし、または、前記候補ビームベクトル集合内の前記Ｎ個のビームベクトルのうち最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報のジョイント・エンコード情報を、前記基地局にフィードバックする。
【００３３】
１つの実施可能の形態では、前記フィードバックモジュールは、選択されたビームベクトルグループの識別子情報、及び選択されたビームベクトルグループ内の前記Ｎ個のビームベクトルの識別子情報を、前記基地局にフィードバックする。
【００３４】
１つの実施可能の形態では、前記フィードバックモジュールは、前記Ｔ個のビームベクトルの識別子情報を第１レベルの識別子情報として前記基地局にフィードバックする；及び前記Ｔ個のビームベクトルのうちの前記Ｎ個のビームベクトルの識別子情報を第２レベルの識別子情報として前記基地局にフィードバックする。
【００３５】
１つの実施可能の形態では、前記フィードバックモジュールは、さらに、前記Ｎ個のビームベクトル内の前記Ｎ個のビームベクトルのうちの最大のメトリックを有するビームベクトルの識別子情報を、前記基地局にフィードバックする。
【００３６】
１つの実施可能の形態では、前記端末は、
前記基底マトリックス及び前記結合係数マトリックスに従って、プリコーディングマトリックスを決定し、及び前記プリコーディングマトリックスに従って、ＣＱＩを決定するように構成される、ＣＱＩ決定モジュールをさらに備え、
前記フィードバックモジュールは、前記ＣＱＩを前記基地局にフィードバックする。
【００３７】
第６の態様によれば、基地局は、
端末によってフィードバックされた基底マトリックスの識別子情報及び結合係数マトリックスを受信するように構成される、受信モジュールと、
前記基底マトリックスの識別子情報に従って、候補ビームベクトル集合から前記基底マトリックス内のＮ個のビームベクトルを決定するように構成される、第１の決定モジュールであって、前記Ｎ個のビームベクトルは前記基底マトリックスを構成し、前記Ｎは正の整数である前記第１の決定モジュールと、
前記基底マトリックス及び前記結合係数マトリックスに従って、前記端末とのダウンリンク送信のためのプリコーディングマトリックスを決定するように構成される、第２の決定モジュールとを備える。
【００３８】
１つの実施可能の形態では、前記受信モジュールは、前記端末によってフィードバックされた前記候補ビームベクトル集合内の前記Ｎ個のビームベクトルの識別子情報を受信し、または、前記端末によってフィードバックされた前記Ｎ個のビームベクトルの一部または全部のビームベクトルの識別子情報のジョイント・エンコード情報を受信し、または、前記端末によってフィードバックされた前記端末によって選択されたビームベクトルグループの識別子情報、及び選択されたビームベクトルグループ内の前記Ｎ個のビームベクトルの識別子情報を受信し、または、前記候補ビームベクトル集合内の前記端末によってフィードバックされた前記Ｎ個のビームベクトル内の最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報を受信し、または、前記端末によってフィードバックされた第１レベルの識別子情報及び第２レベルの識別子情報を受信し、前記第１レベルの識別子情報は、前記候補ビームベクトル集合から前記端末によって選択されたＴ個のビームベクトルの識別子情報であり、前記第２レベルの識別子情報は、前記Ｔ個のビームベクトルのうちの前記Ｎ個のビームベクトルの識別子情報である。
【００３９】
また、前記受信モジュールは、前記候補ビームベクトル集合内の前記端末によってフィードバックされた前記Ｎ個のビームベクトルの識別子情報のジョイント・エンコード情報を受信し、または、前記候補ビームベクトル集合内の前記端末によってフィードバックされた前記Ｎ個のビームベクトル内の最大のメトリックを有するビームベクトルの識別子情報、及び前記候補ビームベクトル集合内の残りＮ−１個のビームベクトルの識別子情報のジョイント・エンコード情報を受信し、または、前記候補ビームベクトル集合内の前記端末によってフィードバックされた前記Ｎ個のビームベクトル内の最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報のジョイント・エンコード情報を受信する。
【００４０】
１つの実施可能の形態では、前記受信モジュールは、さらに、前記端末によってフィードバックされた前記Ｎ個のビームベクトルの中で、Ｎ個のビームベクトルのうちの最大のメトリックを有するビームベクトルの識別子情報を受信する。
【００４１】
第７の態様によれば、端末は、送受信機と、当該送受信機と接続する少なくとも１つのプロセッサとを備え、前記プロセッサは、メモリ内のプログラムを読み出して実行するように構成されており、候補ビームベクトル集合に従って、基底マトリックスを決定し、前記基底マトリックスは、前記候補ビームベクトル集合内のＮ個のビームベクトルにより構成されたマトリックスであり、前記Ｎは正の整数であり、前記基底マトリックス及びチャネル状態パラメータに従って、結合係数マトリックスを決定し、及び前記基底マトリックスの識別子情報及び前記結合係数マトリックスを、基地局にフィードバックするように前記送受信機を制御し、前記送受信機は、前記プロセッサの制御下でデータを送受信するように構成される。
【００４２】
１つの実施可能の形態では、前記プロセッサは、メモリに格納されたプログラムを読み出し、前記候補ビームベクトル集合から、メトリックの降順で最初のＮ個の的ビームベクトルを選択し、選択されたＮ個のビームベクトルにより構成されたマトリックスを前記基底マトリックスとして決定し、または、Ｌ個のビームベクトルグループのうちの１つを選択し、Ｌ個のビームベクトルグループは、前記候補ビームベクトル集合中内のビームベクトルをグループ化することによって得られ、Ｌは正の整数であり、及び選択されたビームベクトルグループからＮ個のビームベクトルを選択し、選択されたＮ個のビームベクトルにより構成されたマトリックスを前記基底マトリックスとして決定し、または、前記候補ビームベクトル集合から、Ｔ個のビームベクトルを選択し、ＴはＮより大きい、及び前記Ｔ個のビームベクトルからＮ個のビームベクトルを選択し、選択されたＮ個のビームベクトルにより構成されたマトリックスを前記基底マトリックスとして決定する。
【００４３】
また、前記プロセッサは、メモリに格納されたプログラムを読み出し、前記Ｌ個のビームベクトルグループから、最大のメトリックを有するビームベクトルの属するビームベクトルグループを選択し、または、各ビームベクトルグループそれぞれに対応するメトリックを決定し、最大のメトリックを有するビームベクトルグループを選択し、ここで、各ビームベクトルグループそれぞれに対応するメトリックは、前記ビームベクトルグループ内の各ビームベクトルのメトリックに対して事前設定操作を実行することによって得られる値である。
【００４４】
１つの実施可能の形態では、前記プロセッサは、メモリに格納されたプログラムを読み出し、前記送受信機を介して、前記候補ビームベクトル集合内の前記Ｎ個のビームベクトルの識別子情報を、前記基地局にフィードバックし、または、前記送受信機を介して、前記Ｎ個のビームベクトルの一部または全部のビームベクトルの識別子情報のジョイント・エンコード情報を、前記基地局にフィードバックし、または、前記送受信機を介して、前記候補ビームベクトル集合内の前記Ｎ個のビームベクトルのうち最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報を、前記基地局にフィードバックする。
【００４５】
また、前記プロセッサは、メモリに格納されたプログラムを読み出し、前記送受信機を介して、前記候補ビームベクトル集合内の前記Ｎ個のビームベクトルの識別子情報のジョイント・エンコード情報を、前記基地局にフィードバックし、または、前記送受信機を介して、前記候補ビームベクトル集合内の前記Ｎ個のビームベクトルのうち最大のメトリックを有するビームベクトルの識別子情報、及び前記候補ビームベクトル集合内の残りＮ−１個のビームベクトルの識別子情報のジョイント・エンコード情報を、前記基地局にフィードバックし、または、前記送受信機を介して、前記候補ビームベクトル集合内の前記Ｎ個のビームベクトルのうち最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報のジョイント・エンコード情報を、前記基地局にフィードバックする。
【００４６】
１つの実施可能の形態では、前記プロセッサは、メモリに格納されたプログラムを読み出し、前記送受信機を介して、選択されたビームベクトルグループの識別子情報、及び選択されたビームベクトルグループ内の前記Ｎ個のビームベクトルの識別子情報を、前記基地局にフィードバックする。
【００４７】
１つの実施可能の形態では、前記プロセッサは、メモリに格納されたプログラムを読み出し、前記送受信機を介して、前記Ｔ個のビームベクトルの識別子情報を第１レベルの識別子情報として前記基地局にフィードバックし、及び前記送受信機を介して、前記Ｔ個のビームベクトルのうちの前記Ｎ個のビームベクトルの識別子情報を第２レベルの識別子情報として前記基地局にフィードバックする。
【００４８】
１つの実施可能の形態では、前記プロセッサは、メモリに格納されたプログラムを読み出し、前記送受信機を介して、前記Ｎ個のビームベクトル内の前記Ｎ個のビームベクトルのうちの最大のメトリックを有するビームベクトルの識別子情報を、前記基地局にフィードバックする。
【００４９】
１つの実施可能の形態では、前記プロセッサは、メモリに格納されたプログラムを読み出し、前記基底マトリックス及び前記結合係数マトリックスに従って、プリコーディングマトリックスを決定し、及び前記プリコーディングマトリックスに従って、ＣＱＩを決定し、及び前記送受信機を介して、前記ＣＱＩを前記基地局にフィードバックする。
【００５０】
第８の態様によれば、基地局は、送受信機と、当該送受信機と接続する少なくとも１つのプロセッサとを備え、前記プロセッサは、メモリ内のプログラムを読み出して実行するように構成されており、前記送受信機を介して、端末によってフィードバックされた基底マトリックスの識別子情報及び結合係数マトリックスを受信し、前記基底マトリックスの識別子情報に従って、候補ビームベクトル集合から前記基底マトリックス内のＮ個のビームベクトルを決定し、前記Ｎ個のビームベクトルは前記基底マトリックスを構成し、前記Ｎは正の整数であり、及び前記基底マトリックス及び前記結合係数マトリックスに従って、前記端末とのダウンリンク送信のためのプリコーディングマトリックスを決定し、前記送受信機は、前記プロセッサの制御下でデータを送受信するように構成される。
【００５１】
１つの実施可能の形態では、前記プロセッサは、メモリに格納されたプログラムを読み出し、前記送受信機を介して、前記端末によってフィードバックされた前記候補ビームベクトル集合内の前記Ｎ個のビームベクトルの識別子情報を受信し、または、前記送受信機を介して、前記端末によってフィードバックされた前記Ｎ個のビームベクトルの一部または全部のビームベクトルの識別子情報のジョイント・エンコード情報を受信し、または、前記送受信機を介して、前記端末によってフィードバックされた前記端末によって選択されたビームベクトルグループの識別子情報、及び選択されたビームベクトルグループ内の前記Ｎ個のビームベクトルの識別子情報を受信し、または
前記送受信機を介して、前記候補ビームベクトル集合内の前記端末によってフィードバックされた前記Ｎ個のビームベクトル内の最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報を受信し、または、前記送受信機を介して、前記端末によってフィードバックされた第１レベルの識別子情報及び第２レベルの識別子情報を受信し、前記第１レベルの識別子情報は、前記候補ビームベクトル集合から前記端末によって選択されたＴ個のビームベクトルの識別子情報であり、前記第２レベルの識別子情報は、前記Ｔ個のビームベクトルのうちの前記Ｎ個のビームベクトルの識別子情報である。
【００５２】
また、前記プロセッサは、メモリに格納されたプログラムを読み出し、前記送受信機を介して、前記候補ビームベクトル集合内の前記端末によってフィードバックされた前記Ｎ個のビームベクトルの識別子情報のジョイント・エンコード情報を受信し、または、前記送受信機を介して、前記候補ビームベクトル集合内の前記端末によってフィードバックされた前記Ｎ個のビームベクトル内の最大のメトリックを有するビームベクトルの識別子情報、及び前記候補ビームベクトル集合内の残りＮ−１個のビームベクトルの識別子情報のジョイント・エンコード情報を受信し、または、前記送受信機を介して、前記候補ビームベクトル集合内の前記端末によってフィードバックされた前記Ｎ個のビームベクトル内の最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報のジョイント・エンコード情報を受信する。
【００５３】
１つの実施可能の形態では、前記プロセッサは、メモリに格納されたプログラムを読み出し、前記送受信機を介して、前記端末によってフィードバックされた前記Ｎ個のビームベクトルの中で、Ｎ個のビームベクトルの中で最大のメトリックを有するビームベクトルの識別子情報を受信する。
【発明の効果】
【００５４】
本発明の実施例に係る方法及び装置によれば、端末は、候補ビームベクトル集合に従って、基底マトリックスを決定し、端末は、前記基底マトリックス及びチャネル状態パラメータに従って、結合係数マトリックスを決定し、及び前記基底マトリックスの識別子情報及び前記結合係数マトリックスを、基地局にフィードバックする。本発明の実施形態では、算出された基底行列と結合係数マトリックとに基づいて、従来技術で利用可能なチャネル状態パラメータよりも高い精度でチャネル状態パラメータをフィードバックすることができる。チャネル状態パラメータのフィードバック精度を向上したため、プリコーディングの精度を向上させることができ、したがって、マルチアンテナ送信の性能（たとえば、ダウンリンク送信のスループット）、特にＭＵ−ＭＩＭＯ送信の性能を向上させることができる。
【図面の簡単な説明】
【００５５】
【図１】水平に配置された二重偏波アンテナの概略図である。
【図２】水平に配置されたライナアレイアンテナの概略図である。
【図３】水平方向および垂直方向に配置された二重偏波アンテナの概略図である。
【図４】水平方向および垂直方向に配置されたライナアレイアンテナの概略図である。
【図５】本発明の実施例に係るチャネル状態情報を送信するための方法の概略図である。
【図６】本発明の実施例に係るビームベクトルグループのグループ化の概略図である。
【図７】本発明の実施例に係るチャネル状態情報を受信するための方法の概略図である。
【図８】本発明の実施例に係る端末の概略図である。
【図９】本発明の実施例に係る他の端末の概略図である。
【図１０】本発明の実施例に係る基地局の概略図である。
【図１１】本発明の実施例に係る他の基地局の概略図である。
【発明を実施するための形態】
【００５６】
本発明の実施例における目的、技術方案と利点を明確にするため、以下に本発明の実施例における図と結合して本発明の実施例における技術方案の詳細を明確に、完全に説明する。当然、記載の実施例は本発明の実施例の一部に過ぎず、全ての実施例ではない。本発明における実施例にもとづき、当業者は、創造性作業を行わないことを前提として、取得したその他の実施例は、本発明の保護範囲に属する。
【００５７】
図５に示す実施例に係るチャネル状態情報を送信するための方法は、以下のステップを備える。
【００５８】
Ｓ５１において、端末は、候補ビームベクトル集合に従って、基底マトリックスを決定し、前記基底マトリックスは、前記候補ビームベクトル集合内のＮ個のビームベクトルにより構成されたマトリックスであり、前記Ｎは正の整数である。
【００５９】
前記候補ビームベクトル集合は事前に約定されることができる。例えばプロトコルで規定することができ、基地局によって決定された後にＵＥに通知することもできる。
【００６０】
前記候補ビームベクトル集合が基地局によって決定された後ＵＥに通知される場合、以下のように通知することができるが、これらに限られない。前記候補ビームベクトル集合中内のビームベクトルの識別子情報を端末に通知する。または前記候補ビームベクトル集合のパラメータを端末に通知する。このようにして、端末は、前記パラメータタに従って前記候補ビームベクトル集合を決定する。
【００６１】
任意選択で、前記Ｎの値は、事前に約定される、例えばプロトコルで規定することができる。または前記基地局によって決定された後に前記端末に通知される。または前記端末と前記基地局との間のチャネル条件に従って前記端末によって決定される。例えば、前記端末はチャネル状態マトリックスのランク（または条件数）に従ってＮの値を決定する。ここで、ランク（または条件数）が予め設定された第１の閾値以下である場合、Ｎ=１であると決定する。ランク（または条件数）が第１の閾値より大きく、かつ予め設定された第２の閾値以下である場合、Ｎ=２であると決定する。このように類推できる。
【００６２】
Ｓ５２において、前記端末は、前記基底マトリックス及びチャネル状態パラメータに従って、結合係数マトリックスを決定する。
【００６３】
【数１】
2019531655.tif 000003
【００６４】
【数２】
2019531655.tif 000004
【００６５】
【数３】
2019531655.tif 000005
【００６６】
【数４】
2019531655.tif 000006
【００６７】
任意選択で、前記チャネル状態パラメータは、前記端末がチャネル測定を測定することによって取得されたチャネル関連情報を示し、チャネル状態マトリックス、またはチャネル状態マトリックスの転置、またはチャネル状態マトリックスの固有ベクトル（例えば、チャネル状態マトリックスの一次固有ベクトル、または関連マトリックス内の２つの最大固有値に対応する固有ベクトル）を含むがこれらに限定されない。または前記端末によって推奨されるプリコーディングマトリックスなどを含む。
【００６８】
【数５】
2019531655.tif 000007
【００６９】
【数６】
2019531655.tif 000008
【００７０】
【数７】
2019531655.tif 000009
【００７１】
Ｓ５３において前記端末は、前記基底マトリックスの識別子情報及び前記結合係数マトリックスを、基地局にフィードバックする。このようにして、前記基地局は、前記基底マトリックス及び前記結合係数マトリックスに基づいて前記端末とのダウンリンク送信のためのプリコーディングマトリックスを決定することができる。
【００７２】
任意選択で、前記端末が前記結合係数マトリックスを基地局にフィードバックする場合、限られた数のビット（例えば、２ビット、３ビット、４ビットなど）で各量子化要素の値を表し、これらのビットをフィードすることによって、結合係数マトリックスを基地局にフィードバックすることができる。
【００７３】
任意選択で、前記端末は、シグナリングにより、前記基底マトリックスの識別子情報及び前記結合係数マトリックスを、基地局にフィードバックし、または、前記端末は、異なるシグナリングにより、前記基底マトリックスの識別子情報及び前記結合係数マトリックスそれぞれを、基地局にフィードバックする。
【００７４】
本発に係る明実施例では、端末は、候補ビームベクトル集合に従って、基底マトリックスを決定する。端末は、前記基底マトリックス及びチャネル状態パラメータに従って、結合係数マトリックスを決定し、及び前記基底マトリックスの識別子情報及び前記結合係数マトリックスを、基地局にフィードバックする。本発明の実施形態では、算出された基底行列と結合係数マトリックとに基づいて、従来技術で利用可能なチャネル状態パラメータよりも高い精度でチャネル状態パラメータをフィードバックすることができる。チャネル状態パラメータのフィードバック精度を向上したため、プリコーディングの精度を向上させることができ、したがって、マルチアンテナ送信の性能（たとえば、ダウンリンク送信のスループット）、特にＭＵ−ＭＩＭＯ送信の性能を向上させることができる。
【００７５】
可能な実施態様では、前記候補ビームベクトル集合は、オーバーサンプリング離散フーリエ変換（Ｄｉｓｃｒｅｔｅ Ｆｏｕｒｉｅｒ Ｔｒａｎｓｆｏｒｍ， ＤＦＴ）ベクトルを含むことができる。
【００７６】
【数８】
2019531655.tif 000010
【００７７】
【数９】
2019531655.tif 000011
【００７８】
【数１０】
2019531655.tif 000012
【００７９】
【数１１】
2019531655.tif 000013
【００８０】
【数１２】
2019531655.tif 000014
【００８１】
もちろん、候補ビームベクトルは、オーバーサンプリングされたＤＦＴベクトル以外の方法で実施されてもよく、本発明の実施形態はそれに限定されない。
【００８２】
【数１３】
2019531655.tif 000015
【００８３】
【数１４】
2019531655.tif 000016
【００８４】
上記の実施形態のうちのいずれか１つに加えて、Ｓ５１では、前記端末は、以下の３つの可能な実装態様において候補ビームベクトル集合に従って、基底マトリックスを決定する。
【００８５】
＜態様１＞前記端末は、メトリックの降順で前記候補ビームベクトル集合から最初のＮ個の的ビームベクトルを選択し、選択されたＮ個のビームベクトルにより構成されたマトリックスを前記基底マトリックスとして決定する。当該態様の複雑さが少なく、実現も簡単である。
【００８６】
前記測定基準は、ビームフォーミング伝送における受信信号電力、チャネル容量などを含むが、これらに限定されない。
【００８７】
例えば、前記端末は、最高受信信号電力を有するＮ個のビームベクトルを選択して基底マトリックスを形成し、ここで、最高受信信号電力を有するビームベクトル（すなわち、最強のビームベクトル）は以下のように決定され得る。
【００８８】
【数１５】
2019531655.tif 000017
【００８９】
ここでは繰り返しの説明は省略するが、２-Ｎ番目に強いビームベクトルも同様にして求めることができる。
【００９０】
別の例では、端末によって選択されたＮ個のビームベクトルは以下のように決定されることができる。
【００９１】
【数１６】
2019531655.tif 000018
【００９２】
別の例では、端末によって選択されたＮ個のビームベクトルは以下のように決定されることができる。
【００９３】
【数１７】
2019531655.tif 000019
【００９４】
当該態様では、任意選択で、前記Ｎ個のビームベクトルのうちの任意の２つビームベクトルが互いに直交している。
【００９５】
例えば、1番強いビームベクトルが決定された後、2番目に強いビームベクトルは、2番目に強いビームベクトルが1番強いビームベクトルと直交するように選択され、３番目に強いビームベクトルは、３番目に強いビームベクトルが2番目に強いと1番強いビームベクの両方に直交するように選択される。このように類推することができる。具体的には次のとおりである。
【００９６】
【数１８】
2019531655.tif 000020
【００９７】
＜態様２＞前記端末は、Ｌ個のビームベクトルグループのうちの１つを選択し、Ｌ個のビームベクトルグループは、前記候補ビームベクトル集合中内のビームベクトルをグループ化することによって得られ、Ｌは正の整数であり、及び選択されたビームベクトルグループからＮ個のビームベクトルを選択し、選択されたＮ個のビームベクトルにより構成されたマトリックスを前記基底マトリックスとして決定する。
【００９８】
前記Ｎ個のビームベクトルのそれぞれ２つが互いに直交しているシナリオでは、態様２の複雑さが少なく、実現も簡単である。
【００９９】
当該態様では、Ｌ個のビームベクトルグループは、規定または構成することができ、あるいは基地局によって決定してＵＥに通知することができ、または、端末が前記候補ビームベクトル集合中内のビームベクトルをグループ化して取得することができる。
【０１００】
任意選択で、前記端末は、前記候補ビームベクトル集合中内のビームベクトル直交性に従って、前記候補ビームベクトル集合中内のビームベクトルをＬ個のビームベクトルグループにグループ化する。
【０１０１】
また、前記端末は、以下の２つの可能な実施態様において、前記Ｌ個のビームベクトルグループのうちの１つを選択する。
【０１０２】
態様２１において、前記端末は、前記Ｌ個のビームベクトルグループから、最大のメトリックを有するビームベクトルの属するビームベクトルグループを選択する。
【０１０３】
態様２２において、前記端末は、各ビームベクトルグループそれぞれに対応するメトリックを決定し、最大のメトリックを有するビームベクトルグループを選択し、ここで、各ビームベクトルグループそれぞれに対応するメトリックは、前記ビームベクトルグループ内の各ビームベクトルのメトリックに対して事前設定操作を実行することによって得られる値である。
【０１０４】
例えば、各ビームベクトルグループそれぞれに対応するメトリックは、前記ビームベクトルグループ内の各ビームベクトルのメトリックの合計であることができる。
【０１０５】
【数１９】
2019531655.tif 000021
【０１０６】
別の例では、各ビームベクトルグループそれぞれに対応するメトリックは、前記ビームベクトルグループ内の各ビームベクトルのメトリックの積であり得る。
【０１０７】
当該態様では、任意選択で、前記Ｎ個のビームベクトルのうちの任意の２つビームベクトルはお互いに直交している。
【０１０８】
当該態様では、任意選択で、各ビームベクトルグループ内の任意の２つのビームベクトルは互いに直交している。
【０１０９】
端末がビームベクトルをビームベクトルグループにグループ化するとき、前記端末は、その直交性に従って、前記候補ビームベクトル集合中内のビームベクトルをＬ個のビームベクトルグループにグループ化することによって、各ビームベクトルグループ内の任意の２つのビームベクトルは互いに直交している。
【０１１０】
【数２０】
2019531655.tif 000022
【０１１１】
【数２１】
2019531655.tif 000023
【０１１２】
当該態様では、選択されたビームベクトルグループからＮ個のビームベクトルを選択する態様は、態様１で前記候補ビームベクトル集合からＮ個ののビームベクトルを選択する態様と同じであり、ここでの繰り返しの説明は省略する。
【０１１３】
＜態様３＞前記端末は、前記候補ビームベクトル集合から、Ｔ個のビームベクトルを選択し、ＴはＮより大きい、及び前記Ｔ個のビームベクトルからＮ個のビームベクトルを選択し、選択されたＮ個のビームベクトルにより構成されたマトリックスを前記基底マトリックスとして決定する。
【０１１４】
当該態様では、基底マトリックスの識別子情報は、低いフィードバックオーバーヘッドで、（具体的には以下の態様Ｄに記載されるように）２つのレベルでフィードバックすることができる。
【０１１５】
当該態様では、前記候補ビームベクトル集合からＴ個のビームベクトルを選択する態様は、態様１で前記候補ビームベクトル集合からＮ個ののビームベクトルを選択する態様と同じであり、ここでの繰り返しの説明は省略する。
【０１１６】
当該態様では、前記Ｔ個のビームベクトルからＮ個のビームベクトルを選択する態様は、態様１で前記候補ビームベクトル集合からＮ個ののビームベクトルを選択する態様と同じであり、ここでの繰り返しの説明は省略する。
【０１１７】
当該態様では、任意選択で、選択されたＴ個のビームベクトルのうちの任意の２つのビームベクトルは直交ベクトルである。および／または、前記Ｔ個のビームベクトルから選択されたＮ個のビームベクトルのうちの任意の２つのビームベクトルは直交ベクトルである。
【０１１８】
上記の実施形態のうちのいずれか１つに加えて、Ｓ５３では、前記端末は、以下のように、前記基底マトリックスの識別子情報を基地局にフィードバックする。
【０１１９】
＜態様Ａ＞前記端末は、前記候補ビームベクトル集合内の前記Ｎ個のビームベクトルの識別子情報を、前記基地局にフィードバックする。
【０１２０】
【数２２】
2019531655.tif 000024
【０１２１】
【数２３】
2019531655.tif 000025
【０１２２】
＜態様Ｂ＞前記端末は、前記Ｎ個のビームベクトルの一部または全部のビームベクトルの識別子情報のジョイント・エンコード情報を、前記基地局にフィードバックする。
【０１２３】
当該態様では、前記端末が前記Ｎ個のビームベクトルのうちの一部のビームベクトルの識別子情報のジョイント・エンコード情報を前記基地局にフィードバックする場合、前記端末は、前記候補ビームベクトル集合内の前記Ｎ個のビームベクトルのうちの残りのビームベクトルの識別子情報を前記基地局にフィードバックする。
【０１２４】
当該態様は、上述した実施例のうちの任意の１つに適用可能であり、さらに、以下の２つの可能な実施態様を含む。
【０１２５】
＜態様Ｂ１＞前記端末は、前記候補ビームベクトル集合内の前記Ｎ個のビームベクトルの識別子情報のジョイント・エンコード情報を、前記基地局にフィードバックする。
【０１２６】
【数２４】
2019531655.tif 000026
【０１２７】
【数２５】
2019531655.tif 000027
【０１２８】
【数２６】
2019531655.tif 000028
【０１２９】
＜態様Ｂ２＞前記端末は、前記候補ビームベクトル集合内の前記Ｎ個のビームベクトルのうち最大のメトリックを有するビームベクトルの識別子情報、及び前記候補ビームベクトル集合内の残りＮ−１個のビームベクトルの識別子情報のジョイント・エンコード情報を、前記基地局にフィードバックする。
【０１３０】
具体的には、前記端末は、前記候補ビームベクトル集合内の前記Ｎ個のビームベクトルのうち最大のメトリックを有するビームベクトルの識別子情報、及び候補ビームベクトル集合内の残りＮ−１個のビームベクトルのジョイント・エンコード情報をフィードバックし、必要となるフィードバックオーバーヘッドは下記式のとおりである。
【０１３１】
【数２７】
2019531655.tif 000029
【０１３２】
＜態様Ｂ３＞前記端末は、前記候補ビームベクトル集合内の前記Ｎ個のビームベクトルのうち最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報のジョイント・エンコード情報を、前記基地局にフィードバックする。
【０１３３】
＜態様Ｃ＞前記端末は、前記候補ビームベクトル集合内の前記Ｎ個のビームベクトルのうち最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報を、前記基地局にフィードバックする。
【０１３４】
当該態様は、上述した実施例のうちの任意の１つに適用可能であり、当該態様での端末は、前記候補ビームベクトル集合内の前記Ｎ個のビームベクトルのうち最大のメトリックを有するビームベクトルの識別子情報、及び最大のメトリックを有する全てのビームベクトルに直交するビームベクトルにより構成された集合内の残りＮ−１個のビームベクトルの識別子情報をフィードバックする。フィードバックオーバーヘッドは以下式の通りである。
【０１３５】
【数２８】
2019531655.tif 000030
【０１３６】
＜態様Ｄ＞前記端末は、前記Ｔ個のビームベクトルの識別子情報を第１レベルの識別子情報として前記基地局にフィードバックする。及び前記端末は、前記Ｔ個のビームベクトルのうちの前記Ｎ個のビームベクトルの識別子情報を第２レベルの識別子情報として前記基地局にフィードバックする。
【０１３７】
【数２９】
2019531655.tif 000031
【０１３８】
第２レベルのフィードバックのためにビームベクトルが選択された集合（すなわち、Ｔ個のビームベクトルにより構成された集合）は、候補ビームベクトル集合よりも小さいので、第２レベルフィードバックのオーバーヘッドを下げることができる。
【０１３９】
【数３０】
2019531655.tif 000032
【０１４０】
任意選択で、前記第１レベルの識別子情報と前記第２レベルの識別子情報は、異なる時刻にフィードバックされ、。例えば、２回の第１レベルの識別子情報のフィードバック時間間隔は、２回の第２レベルの識別子情報フィードバック時間間隔より長い。ここで、周期フィードバックは、第１レベルの識別子情報をフィードバックする周期が第２レベルの識別子情報をフィードバックする周期より長いことを指す。非周期フィードバックは、第１レベルの識別子情報と第２レベルの識別子情報のフィードバックを別々にトリガーし、かつ、第２レベルの識別子情報フィードバックのトリガー頻度が第１レベルの識別子情報フィードバック頻度より高い。
【０１４１】
任意選択で、前記第１レベルの識別子情報と前記第２レベルの識別子情報は、異なる帯域幅に対して同じ時刻にフィードバックされる。例えば、第１レベルの識別子情報フィードバックは広帯域フィードバックであり、ビームベクトルは帯域幅全体にわたるチャネルをベースとして選択される。ビームベクトルの受信信号強度またはチャネル容量は、帯域幅全体での平均値である。第２レベルの識別子情報フィードバックはサブバンドフィードバックであり、ビームベクトルは、第１レベルのフィードバックをベースとして、１つのサブバンドのチャネルに対して選択される。即ち、ビームベクトルの受信信号強度またはチャネル容量は、サブバンド範囲内の平均値である。
【０１４２】
任意選択で、前記第１レベルの識別子情報と前記第２レベルの識別子情報は、異なる帯域幅に対して異なる時刻にフィードバックされる。
【０１４３】
【数３１】
2019531655.tif 000033
【０１４４】
＜態様Ｅ＞前記端末は、選択されたビームベクトルグループの識別子情報、及び選択されたビームベクトルグループ内の前記Ｎ個のビームベクトルの識別子情報を、前記基地局にフィードバックする。
【０１４５】
【数３２】
2019531655.tif 000034
【０１４６】
【数３３】
2019531655.tif 000035
【０１４７】
上記の実施形態のうちのいずれか１つに加えて、Ｓ５２では、前記端末は、前記基底マトリックス及びチャネル状態パラメータに従って、結合係数マトリックスを決定した後に、前記端末は、前記基底マトリックス及び前記結合係数マトリックスに従って、プリコーディングマトリックスを決定する。
【０１４８】
前記端末は、前記プリコーディングマトリックスに従って、チャネル品質指標（Ｃｈａｎｎｅｌ Ｑｕａｌｉｔｙ Ｉｎｄｉｃａｔｏｒ，ＣＱＩ）を決定する。
【０１４９】
及び、前記端末は、前記ＣＱＩを前記基地局にフィードバックする。
【０１５０】
【数３４】
2019531655.tif 000036
【０１５１】
同様な発明思想に基づき、図７に示す実施例によるチャネル状態情報を受信するための方法は、以下のステップを備える。
【０１５２】
Ｓ７１におて、基地局は、端末によってフィードバックされた基底マトリックスの識別子情報及び結合係数マトリックスを受信する。
【０１５３】
Ｓ７２において、前記基地局は、前記基底マトリックスの識別子情報に従って、候補ビームベクトル集合から前記基底マトリックス内のＮ個のビームベクトルを決定し、前記Ｎ個のビームベクトルは前記基底マトリックスを構成し、前記Ｎは正の整数である。
【０１５４】
任意選択で、前記候補ビームベクトル集合は、事前に約定されるか、または前記基地局によって決定された後に前記端末に通知され、具体的には、図５に示す実施形態で説明した通りである。
【０１５５】
任意選択で、前記Ｎの値は、事前に約定されるか、または前記基地局によって決定された後に前記端末に通知されるか、または前記端末が前記端末と前記基地局との間のチャネル測定結果に従って決定して基地局に通知したものである。具体的には、図５に示す実施形態で説明した通りである。
【０１５６】
Ｓ７３において、前記基地局は、前記基底マトリックス及び前記結合係数マトリックスに従って、前記端末とのダウンリンク送信のためのプリコーディングマトリックスを決定し、こうして、決定されたプリコーディングマトリックスに基づいてダウンリンク送信を行うことができる。
【０１５７】
本発に係る明実施例では、Ｓ７３では、前記基地局が、前記基底マトリックス及び前記結合係数マトリックスに従って、プリコーディングマトリックスを決定する可能の態様は以下通りである。
【０１５８】
【数３５】
2019531655.tif 000037
【０１５９】
本発に係る明実施例では、前記基地局が前記端末によってフィードバックされた基底マトリックスの識別子情報を受信する場合、
前記基地局は、前記端末によってフィードバックされた前記候補ビームベクトル集合内の前記Ｎ個のビームベクトルの識別子情報を受信し、具体的には、上記態様Ａで説明した通りである。または
前記基地局は、前記端末によってフィードバックされた前記Ｎ個のビームベクトルの一部または全部のビームベクトルの識別子情報のジョイント・エンコード情報を受信し、具体的には、上記態様Ｂで説明した通りである。または
前記基地局は、前記端末によってフィードバックされた前記端末によって選択されたビームベクトルグループの識別子情報、及び選択されたビームベクトルグループ内の前記Ｎ個のビームベクトルの識別子情報を受信し、前記ビームベクトルグループは、前記候補ビームベクトル集合内の一部のビームベクトルより構成され、具体的には、上記態様Ｅで説明した通りである。または
前記基地局は、前記候補ビームベクトル集合内の前記端末によってフィードバックされた前記Ｎ個のビームベクトル内の最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報を受信し、前記基地局にフィードバックする。具体的には、上記態様Ｃで説明した通りである。または
前記基地局は、前記端末によってフィードバックされた第１レベルの識別子情報及び第２レベルの識別子情報を受信し、前記第１レベルの識別子情報は、前記候補ビームベクトル集合から前記端末によって選択されたＴ個のビームベクトルの識別子情報であり、前記第２レベルの識別子情報は、前記Ｔ個のビームベクトルのうちの前記Ｎ個のビームベクトルの識別子情報である。具体的には、上記態様Ｄで説明した通りである。
【０１６０】
前記基地局が、前記端末によってフィードバックされた前記Ｎ個のビームベクトルの一部または全部のビームベクトルの識別子情報のジョイント・エンコード情報を受信する場合、前記基地局は、前記候補ビームベクトル集合内の前記端末によってフィードバックされた前記Ｎ個のビームベクトルの識別子情報のジョイント・エンコード情報を受信し、具体的には、上記態様Ｂ１で説明した通りである。または
前記基地局は、前記候補ビームベクトル集合内の前記端末によってフィードバックされた前記Ｎ個のビームベクトル内の最大のメトリックを有するビームベクトルの識別子情報、及び前記候補ビームベクトル集合内の残りＮ−１個のビームベクトルの識別子情報のジョイント・エンコード情報を受信し、具体的には、上記態様Ｂ２で説明した通りである。または
前記基地局は、前記候補ビームベクトル集合内の前記端末によってフィードバックされた前記Ｎ個のビームベクトル内の最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報のジョイント・エンコード情報を受信する。具体的には、上記態様Ｂ３で説明した通りである。
【０１６１】
上記の実施形態のうちのいずれか１つに加えて、前記方法では、前記基地局は、前記端末によってフィードバックされた前記Ｎ個のビームベクトルの中で、Ｎ個のビームベクトルの中で最大のメトリックを有するビームベクトルの識別子情報を受信する。
【０１６２】
上記の方法の処理フローはソフトウェアプログラムで実行することができ、ソフトウェアプログラムは記憶媒体に格納することができ、格納されたソフトウェアプログラムが呼び出されると、それは上記の方法のステップを実行することができる。
【０１６３】
同様な発明思想に基づき、本発明に係る実施例は端末をさらに提供し、当該端末の課題解決原理は上記図５に示す方法と類似するため、当該端末の実施は方法の実施を参照することができ、繰り返して説明しない。
【０１６４】
図８に示す実施例による端末は、
候補ビームベクトル集合に従って、基底マトリックスを決定し基底マトリックス決定するように構成される、モジュール８１と、
前記基底マトリックス及びチャネル状態パラメータに従って、結合係数マトリックスを決定するように構成される、結合係数決定モジュール８２と、
前記基底マトリックスの識別子情報及び前記結合係数マトリックスを、基地局にフィードバックするように構成される、フィードバックモジュール８３とを備える。
【０１６５】
前記基底マトリックスは、前記候補ビームベクトル集合内のＮ個のビームベクトルにより構成されたマトリックスであり、前記Ｎは正の整数である。
【０１６６】
任意選択で、前記基底マトリックス決定モジュール８１は、
前記候補ビームベクトル集合から、メトリックの降順で最初のＮ個の的ビームベクトルを選択し、選択されたＮ個のビームベクトルにより構成されたマトリックスを前記基底マトリックスとして決定し、または
Ｌ個のビームベクトルグループのうちの１つを選択し、Ｌ個のビームベクトルグループは、前記候補ビームベクトル集合中内のビームベクトルをグループ化することによって得られ、Ｌは正の整数であり、及び選択されたビームベクトルグループからＮ個のビームベクトルを選択し、選択されたＮ個のビームベクトルにより構成されたマトリックスを前記基底マトリックスとして決定し、または
前記候補ビームベクトル集合から、Ｔ個のビームベクトルを選択し、ＴはＮより大きい、及び前記Ｔ個のビームベクトルからＮ個のビームベクトルを選択し、選択されたＮ個のビームベクトルにより構成されたマトリックスを前記基底マトリックスとして決定する。
任意選択で、前記基底マトリックス決定モジュール８１は、
前記Ｌ個のビームベクトルグループから、最大のメトリックを有するビームベクトルの属するビームベクトルグループを選択し、または
各ビームベクトルグループそれぞれに対応するメトリックを決定し、最大のメトリックを有するビームベクトルグループを選択し、ここで、各ビームベクトルグループそれぞれに対応するメトリックは、前記ビームベクトルグループ内の各ビームベクトルのメトリックに対して事前設定操作を実行することによって得られる値である。
【０１６７】
任意選択で、前記Ｎ個のビームベクトルのうちの任意の２つは互いに直交しており、および／または
各前記ビームベクトルグループ内の任意の２つのビームベクトルは互いに直交している。
【０１６８】
上記の実施形態のうちのいずれか１つに加えて、可能な実施態様として、前記フィードバックモジュール８３は、
前記候補ビームベクトル集合内の前記Ｎ個のビームベクトルの識別子情報を、前記基地局にフィードバックし、または
前記Ｎ個のビームベクトルの一部または全部のビームベクトルの識別子情報のジョイント・エンコード情報を、前記基地局にフィードバックし、または
前記候補ビームベクトル集合内の前記Ｎ個のビームベクトルのうち最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報を、前記基地局にフィードバックする。
【０１６９】
また、前記フィードバックモジュール８３は、
前記候補ビームベクトル集合内の前記Ｎ個のビームベクトルの識別子情報のジョイント・エンコード情報を、前記基地局にフィードバックし、または
前記候補ビームベクトル集合内の前記Ｎ個のビームベクトルのうち最大のメトリックを有するビームベクトルの識別子情報、及び前記候補ビームベクトル集合内の残りＮ−１個のビームベクトルの識別子情報のジョイント・エンコード情報を、前記基地局にフィードバックし、または
前記候補ビームベクトル集合内の前記Ｎ個のビームベクトルのうち最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報のジョイント・エンコード情報を、前記基地局にフィードバックする。
【０１７０】
可能な実施態様として、前記フィードバックモジュール８３は、選択されたビームベクトルグループの識別子情報、及び選択されたビームベクトルグループ内の前記Ｎ個のビームベクトルの識別子情報を、前記基地局にフィードバックする。
【０１７１】
可能な実施態様として、前記フィードバックモジュール８３は、前記候補ビームベクトル集合内の前記Ｔ個のビームベクトルの識別子情報を第１レベルの識別子情報として前記基地局にフィードバックする。及び前記Ｔ個のビームベクトルのうちの前記Ｎ個のビームベクトルの識別子情報を第２レベルの識別子情報として前記基地局にフィードバックする。
【０１７２】
上記の実施形態のうちのいずれか１つに加えて、前記フィードバックモジュール８３は、さらに、前記Ｎ個のビームベクトル内の前記Ｎ個のビームベクトルのうちの最大のメトリックを有するビームベクトルの識別子情報を、前記基地局にフィードバックする。
【０１７３】
上記の実施形態のうちのいずれか１つに加えて、前記端末は、前記基底マトリックス及び前記結合係数マトリックスに従って、プリコーディングマトリックスを決定し、及び前記プリコーディングマトリックスに従って、ＣＱＩを決定するように構成されるＣＱＩ決定モジュール８４をさらに備える。
【０１７４】
また、前記フィードバックモジュール８３は、さらに、前記ＣＱＩを前記基地局にフィードバックする。
【０１７５】
図９に示す実施例に係る他の端末は、送受信機と、当該送受信機と接続する少なくとも１つのプロセッサとを備える。
【０１７６】
プロセッサ６００は、メモリ６２０内のプログラムを読み出して実行するように構成されており、候補ビームベクトル集合に従って、基底マトリックスを決定し、前記基底マトリックスは、前記候補ビームベクトル集合内のＮ個のビームベクトルにより構成されたマトリックスであり、前記Ｎは正の整数であり、前記基底マトリックス及びチャネル状態パラメータに従って、結合係数マトリックスを決定し、及び前記基底マトリックスの識別子情報及び前記結合係数マトリックスを、基地局にフィードバックするように送受信機６１０を制御する。
【０１７７】
前記送受信機６１０は、プロセッサ６００の制御下でデータを送受信するように構成される。
【０１７８】
図９において、バスアーキテクチャは、いずれ数の相互接続するバス及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、送信媒体を介して他の様々なデバイスと通信するためのユニットである、いくつかの要素、たとえば送信機および受信機とすることができる。異なるユーザ機器の場合、ユーザインターフェース６３０はまた、必要に応じて装置が内部および外部に接続されるインターフェースであり得、接続された装置は、キーパッド、モニタ、スピーカ、マイクロフォン、ジョイスティックを含むがこれらに限定されない。プロセッサ６００はバスアーキテクチャと共通処理の管理を担当し、タイミング、周辺インタフェース、電圧調整、電力管理およびその他の制御機能を含むさまざまな機能も提供する。メモリ６２０は、プロセッサ６００が動作する際に利用するデータを記憶することができる。
【０１７９】
任意選択で、プロセッサ６００は、中央処理装置（ＣＰＵ）、特定用途向け集積回路（ＡＳＩＣ）、フィールドプログラマブルゲートアレイ（ＦＰＧＡ）、または複合プログラマブルロジックデバイス（ＣＰＬＤ）とすることができる。
【０１８０】
本発明に係る明実施例では、プロセッサ６００は、メモリ６２０内のプログラムを読み出し、図５に示す実施例に係る方法を実行する。具体的には、図５に示す実施形態で説明した通りであり、ここでの繰り返しの説明は省略する。
【０１８１】
同様な発明思想に基づき、本発明に係る実施例は基地局をさらに提供し、当該基地局の課題解決原理は上記図７に示す方法実施例と類似するため、当該基地局の実施は方法の実施を参照することができ、繰り返して説明しない。
【０１８２】
図１０に示す実施例に係る基地局は、
端末によってフィードバックされた基底マトリックスの識別子情報及び結合係数マトリックスを受信するように構成される、受信モジュール１０１と、
前記基底マトリックスの識別子情報に従って、候補ビームベクトル集合から前記基底マトリックス内のＮ個のビームベクトルを決定するように構成される、第１の決定モジュール１０２と、
前記基底マトリックス及び前記結合係数マトリックスに従って、前記端末とのダウンリンク送信のためのプリコーディングマトリックスを決定するように構成される、第２の決定モジュール１０３とを備える。
前記Ｎ個のビームベクトルは前記基底マトリックスを構成し、前記Ｎは正の整数である。
【０１８３】
任意選択で、前記受信モジュール１０１は、
前記端末によってフィードバックされた前記候補ビームベクトル集合内の前記Ｎ個のビームベクトルの識別子情報を受信し、または
前記端末によってフィードバックされた前記Ｎ個のビームベクトルの一部または全部のビームベクトルの識別子情報のジョイント・エンコード情報を受信し、または
前記端末によってフィードバックされた前記端末によって選択されたビームベクトルグループの識別子情報、及び選択されたビームベクトルグループ内の前記Ｎ個のビームベクトルの識別子情報を受信し、前記ビームベクトルグループは、前記候補ビームベクトル集合内の一部のビームベクトルより構成され、または
前記候補ビームベクトル集合内の前記端末によってフィードバックされた前記Ｎ個のビームベクトル内の最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報を受信し、または
前記端末によってフィードバックされた第１レベルの識別子情報及び第２レベルの識別子情報を受信し、前記第１レベルの識別子情報は、前記候補ビームベクトル集合から前記端末によって選択されたＴ個のビームベクトルの識別子情報であり、前記第２レベルの識別子情報は、前記Ｔ個のビームベクトルのうちの前記Ｎ個のビームベクトルの識別子情報である。
【０１８４】
また、前記受信モジュール１０１は、前記候補ビームベクトル集合内の前記端末によってフィードバックされた前記Ｎ個のビームベクトルの識別子情報のジョイント・エンコード情報を受信する。
【０１８５】
または、前記候補ビームベクトル集合内の前記端末によってフィードバックされた前記Ｎ個のビームベクトル内の最大のメトリックを有するビームベクトルの識別子情報、及び前記候補ビームベクトル集合内の残りＮ−１個のビームベクトルの識別子情報のジョイント・エンコード情報を受信する。
【０１８６】
または、前記候補ビームベクトル集合内の前記端末によってフィードバックされた前記Ｔ個のビームベクトルの識別子情報を受信して、第１レベルの識別子情報として前記基地局にフィードバックする。及び前記Ｔ個のビームベクトルのうちの前記Ｎ個のビームベクトルの識別子情報を第２レベルの識別子情報とする。
【０１８７】
任意選択で、前記受信モジュール１０１は、さらに、前記端末によってフィードバックされた前記Ｎ個のビームベクトルの中で、Ｎ個のビームベクトルの中で最大のメトリックを有するビームベクトルの識別子情報を受信する。
【０１８８】
図１１に示す実施例に係る他の基地局は、送受信機と、当該送受信機と接続する少なくとも１つのプロセッサとを備える。
【０１８９】
ここで、前記プロセッサ５００は、メモリ５２０内のプログラムを読み出して実行するように構成されており、送受信機５１０により、端末によってフィードバックされた基底マトリックスの識別子情報及び結合係数マトリックスを受信し、前記基底マトリックスの識別子情報に従って、候補ビームベクトル集合から前記基底マトリックス内のＮ個のビームベクトルを決定し、前記Ｎ個のビームベクトルは前記基底マトリックスを構成し、前記Ｎは正の整数であり、及び前記基底マトリックス及び前記結合係数マトリックスに従って、前記端末とのダウンリンク送信のためのプリコーディングマトリックスを決定する。
【０１９０】
送受信機５１０は、プロセッサ５００の制御下でデータを送受信するように構成される。
【０１９１】
ここで、図１１において、バスアーキテクチャは、いずれ数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、複数の部品であることができ、即ち、送信機及び受信機を備え、伝送媒体を介して他の装置と通信するユニットを提供する。プロセッサ５００はバスアーキテクチャと共通処理の管理を担当し、タイミング、周辺インタフェース、電圧調整、電力管理およびその他の制御機能を含むさまざまな機能も提供する。メモリ５２０は、プロセッサ５００が動作する際に利用するデータを記憶することができる。
【０１９２】
任意選択で、プロセッサ５００は、ＣＰＵ、ＡＳＩＣ、ＦＰＧＡまたはＣＰＬＤとすることができる。
【０１９３】
本発に係る明実施例では、プロセッサ５００は、メモリ５２０内のプログラムを読み出し、図７に示す実施例に係る方法を実行する。具体的には、図７に示す実施形態で説明した通りである，ここでの繰り返しの説明は省略する。
【０１９４】
本分野の技術者として、本発明の実施形態が、方法、システムまたはいはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つまたはいは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１９５】
以上は本発明の実施形態の方法、装置（システム）、及びコンピュータプログラム製品のフロー図及び／またはブロック図によって、本発明を記述した。理解すべきことは、コンピュータプログラム指令によって、フロー図及び／またはブロック図における各フロー及び／またはブロックと、フロー図及び／またはブロック図におけるフロー及び／またはブロックの結合を具現できる。プロセッサはこれらのコンピュータプログラム指令を、汎用コンピュータ、専用コンピュータ、組込み式処理装置、またはいは他のプログラム可能なデータ処理装置設備の処理装置器に提供でき、コンピュータまたはいは他のプログラム可能なデータ処理装置のプロセッサは、これらのコンピュータプログラム指令を実行し、フロー図における一つまたはいは複数のフロー及び／またはブロック図における一つまたはいは複数のブロックに指定する機能を具現する。
【０１９６】
これらのコンピュータプログラム指令は又、コンピュータまたはいは他のプログラム可能なデータ処理装置を特定態様で動作させるコンピュータ読取記憶装置に記憶できる。これによって、指令を含む装置は当該コンピュータ読取記憶装置内の指令を実行でき、フロー図における一つまたはいは複数のフロー及び／またはブロック図における一つまたはいは複数のブロックに指定する機能を具現する。
【０１９７】
これらコンピュータプログラム指令はさらに、コンピュータまたはいは他のプログラム可能なデータ処理装置設備に実装もできる。コンピュータプログラム指令が実装されたコンピュータまたはいは他のプログラム可能設備は、一連の操作ステップを実行することによって、関連の処理を具現し、コンピュータまたはいは他のプログラム可能な設備において実行される指令によって、フロー図における一つまたはいは複数のフロー及び／またはブロック図における一つまたはいは複数のブロックに指定する機能を具現する。
【０１９８】
上述した実施形態に記述された技術的な解決手段を改造し、またはいはその中の一部の技術要素を置換することもできる。そのような、改造と置換は本発明の各実施形態の技術の範囲から逸脱するとは見なされない。
【０１９９】
無論、当業者によって、上述した実施形態に記述された技術的な解決手段を改造し、またはいはその中の一部の技術要素を置換することもできる。そのような、改造と置換は本発明の各実施形態の技術の範囲から逸脱するとは見なされない。そのような改造と置換は、すべて本発明の請求の範囲に属する。
【図１】
2019531655.tif 000038
【図２】
2019531655.tif 000039
【図３】
2019531655.tif 000040
【図４】
2019531655.tif 000041
【図５】
2019531655.tif 000042
【図６】
2019531655.tif 000043
【図７】
2019531655.tif 000044
【図８】
2019531655.tif 000045
【図９】
2019531655.tif 000046
【図１０】
2019531655.tif 000047
【図１１】
2019531655.tif 000048
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
端末が、候補ビームベクトル集合に従って、基底マトリックスを決定するステップと、
前記端末が、前記基底マトリックス及びチャネル状態パラメータに従って、結合係数マトリックスを決定するステップと、
前記端末が、前記基底マトリックスの識別子情報及び前記結合係数マトリックスを、基地局にフィードバックするステップとを備え、
前記基底マトリックスは、前記候補ビームベクトル集合内のＮ個のビームベクトルにより構成されたマトリックスであり、前記Ｎは正の整数であることを特徴とするチャネル状態情報を送信するための方法。
【請求項２】
前記Ｎの値は、事前に約定されるか、または前記基地局によって決定された後に前記端末に通知されるか、または前記端末と前記基地局との間のチャネル条件に従って前記端末によって決定されることを特徴とする請求項１に記載のチャネル状態情報を送信するための方法。
【請求項３】
前記端末が、候補ビームベクトル集合に従って、基底マトリックスを決定する場合、
前記端末は、メトリックの降順で前記候補ビームベクトル集合から最初のＮ個の的ビームベクトルを選択し、選択されたＮ個のビームベクトルにより構成されたマトリックスを前記基底マトリックスとして決定し、または
前記端末は、Ｌ個のビームベクトルグループのうちの１つを選択し、Ｌ個のビームベクトルグループは、前記候補ビームベクトル集合内のビームベクトルをグループ化することによって得られ、Ｌは正の整数であり、及び選択されたビームベクトルグループからＮ個のビームベクトルを選択し、選択されたＮ個のビームベクトルにより構成されたマトリックスを前記基底マトリックスとして決定し、または
前記端末は、前記候補ビームベクトル集合から、Ｔ個のビームベクトルを選択し、ＴはＮより大きく、及び前記Ｔ個のビームベクトルからＮ個のビームベクトルを選択し、選択されたＮ個のビームベクトルにより構成されたマトリックスを前記基底マトリックスとして決定することを特徴とする請求項１に記載のチャネル状態情報を送信するための方法。
【請求項４】
前記端末が前記Ｌ個のビームベクトルグループのうちの１つを選択する場合、
前記端末は、前記Ｌ個のビームベクトルグループから、最大のメトリックを有するビームベクトルの属するビームベクトルグループを選択し、または
前記端末は、各ビームベクトルグループそれぞれに対応するメトリックを決定し、最大のメトリックを有するビームベクトルグループを選択し、ここで、各ビームベクトルグループそれぞれに対応するメトリックは、前記ビームベクトルグループ内の各ビームベクトルのメトリックに対して事前設定操作を実行することによって得られる値であることを特徴とする請求項３に記載のチャネル状態情報を送信するための方法。
【請求項５】
前記Ｎ個のビームベクトルのうちの任意の２つは互いに直交しており、および／または各前記ビームベクトルグループ内の任意の２つのビームベクトルは互いに直交していることを特徴とする請求項３または請求項４に記載のチャネル状態情報を送信するための方法。
【請求項６】
前記端末は、Ｌ個のビームベクトルグループのうちの１つを選択し、及び選択されたビームベクトルグループからＮ個のビームベクトルを選択する場合、前記端末が、前記基底マトリックスの識別子情報を基地局にフィードバックすることは、
前記端末は、選択されたビームベクトルグループの識別子情報、及び選択されたビームベクトルグループ内の前記Ｎ個のビームベクトルの識別子情報を、前記基地局にフィードバックすることを特徴とする請求項３に記載のチャネル状態情報を送信するための方法。
【請求項７】
前記端末は、前記候補ビームベクトル集合から、Ｔ個のビームベクトルを選択し、及び前記Ｔ個のビームベクトルからＮ個のビームベクトルを選択する場合、前記端末が、前記基底マトリックスの識別子情報を基地局にフィードバックすることは、
前記端末は、前記Ｔ個のビームベクトルの識別子情報を第１レベルの識別子情報として前記基地局にフィードバックし、及び前記端末は、前記Ｔ個のビームベクトルのうちの前記Ｎ個のビームベクトルの識別子情報を第２レベルの識別子情報として前記基地局にフィードバックすることを特徴とする請求項３に記載のチャネル状態情報を送信するための方法。
【請求項８】
前記端末が、前記基底マトリックスの識別子情報を基地局にフィードバックすることは、
前記端末は、前記候補ビームベクトル集合内の前記Ｎ個のビームベクトルの識別子情報を、前記基地局にフィードバックし、または
前記端末は、前記Ｎ個のビームベクトルの一部または全部のビームベクトルの識別子情報のジョイント・エンコード情報を、前記基地局にフィードバックし、または
前記端末は、前記候補ビームベクトル集合内の前記Ｎ個のビームベクトルのうち最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報を、前記基地局にフィードバックすることを特徴とする請求項１ないし請求項７のいずれか１項に記載のチャネル状態情報を送信するための方法。
【請求項９】
前記端末は、前記Ｎ個のビームベクトルの一部または全部のビームベクトルの識別子情報のジョイント・エンコード情報を、前記基地局にフィードバックする場合、
前記端末は、前記候補ビームベクトル集合内の前記Ｎ個のビームベクトルの識別子情報のジョイント・エンコード情報を、前記基地局にフィードバックし、または
前記端末は、前記候補ビームベクトル集合内の前記Ｎ個のビームベクトルのうち最大のメトリックを有するビームベクトルの識別子情報、及び前記候補ビームベクトル集合内の残りＮ−１個のビームベクトルの識別子情報のジョイント・エンコード情報を、前記基地局にフィードバックし、または
前記端末は、前記候補ビームベクトル集合内の前記Ｎ個のビームベクトルのうち最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報のジョイント・エンコード情報を、前記基地局にフィードバックすることを特徴とする請求項８に記載のチャネル状態情報を送信するための方法。
【請求項１０】
前記端末は、前記Ｎ個のビームベクトル内の前記Ｎ個のビームベクトルのうちの最大のメトリックを有するビームベクトルの識別子情報を、前記基地局にフィードバックすることを特徴とする請求項１に記載のチャネル状態情報を送信するための方法。
【請求項１１】
前記端末は、前記基底マトリックス及びチャネル状態パラメータに従って、結合係数マトリックスを決定した後、
前記端末は、前記基底マトリックス及び前記結合係数マトリックスに従って、プリコーディングマトリックスを決定し、
前記端末は、前記プリコーディングマトリックスに従って、チャネル品質指標（ＣＱＩ）を決定し、及び
前記端末は、前記ＣＱＩを前記基地局にフィードバックすることを特徴とする請求項１に記載のチャネル状態情報を送信するための方法。
【請求項１２】
基地局が、端末によってフィードバックされた基底マトリックスの識別子情報及び結合係数マトリックスを受信するステップと、
前記基地局が、前記基底マトリックスの識別子情報に従って、候補ビームベクトル集合からＮ個のビームベクトルを決定するステップと、
前記基地局が、前記基底マトリックス及び前記結合係数マトリックスに従って、前記端末とのダウンリンク送信のためのプリコーディングマトリックスを決定するステップとを備え、
前記Ｎ個のビームベクトルは前記基底マトリックスを構成し、前記Ｎは正の整数であることを特徴とするチャネル状態情報を受信するための方法。
【請求項１３】
前記候補ビームベクトル集合は、事前に約定されるか、または前記基地局によって決定された後に前記端末に通知されることを特徴とする請求項１２に記載のチャネル状態情報を受信するための方法。
【請求項１４】
前記基地局が前記端末によってフィードバックされた基底マトリックスの識別子情報を受信する場合、
前記基地局は、前記端末によってフィードバックされた前記候補ビームベクトル集合内の前記Ｎ個のビームベクトルの識別子情報を受信し、または
前記基地局は、前記端末によってフィードバックされた前記Ｎ個のビームベクトルの一部または全部のビームベクトルの識別子情報のジョイント・エンコード情報を受信し、または
前記基地局は、前記端末によってフィードバックされた前記端末によって選択されたビームベクトルグループの識別子情報、及び選択されたビームベクトルグループ内の前記Ｎ個のビームベクトルの識別子情報を受信し、前記ビームベクトルグループは、前記候補ビームベクトル集合内の一部のビームベクトルより構成され、または
前記基地局は、前記候補ビームベクトル集合内の前記端末によってフィードバックされた前記Ｎ個のビームベクトル内の最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報を受信し、または
前記基地局は、前記端末によってフィードバックされた第１レベルの識別子情報及び第２レベルの識別子情報を受信し、前記第１レベルの識別子情報は、前記候補ビームベクトル集合から前記端末によって選択されたＴ個のビームベクトルの識別子情報であり、前記第２レベルの識別子情報は、前記Ｔ個のビームベクトルのうちの前記Ｎ個のビームベクトルの識別子情報であることを特徴とする請求項１２または請求項１３に記載のチャネル状態情報を受信するための方法。
【請求項１５】
前記基地局が、前記端末によってフィードバックされた前記Ｎ個のビームベクトルの一部または全部のビームベクトルの識別子情報のジョイント・エンコード情報を受信する場合、
前記基地局は、前記候補ビームベクトル集合内の前記端末によってフィードバックされた前記Ｎ個のビームベクトルの識別子情報のジョイント・エンコード情報を受信し、または
前記基地局は、前記候補ビームベクトル集合内の前記端末によってフィードバックされた前記Ｎ個のビームベクトル内の最大のメトリックを有するビームベクトルの識別子情報、及び前記候補ビームベクトル集合内の残りＮ−１個のビームベクトルの識別子情報のジョイント・エンコード情報を受信し、または
前記基地局は、前記候補ビームベクトル集合内の前記端末によってフィードバックされた前記Ｎ個のビームベクトル内の最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報のジョイント・エンコード情報を受信することを特徴とする請求項１４に記載のチャネル状態情報を受信するための方法。
【請求項１６】
前記基地局は、前記端末によってフィードバックされた前記Ｎ個のビームベクトルの中で、Ｎ個のビームベクトルの中で最大のメトリックを有するビームベクトルの識別子情報を受信することを特徴とする請求項１４に記載のチャネル状態情報を受信するための方法。
【請求項１７】
候補ビームベクトル集合に従って、基底マトリックスを決定するように構成される、基底マトリックス決定モジュールと、
前記基底マトリックス及びチャネル状態パラメータに従って、結合係数マトリックスを決定するように構成される、結合係数決定モジュールと、
前記基底マトリックスの識別子情報及び前記結合係数マトリックスを、基地局にフィードバックするように構成される、フィードバックモジュールと
を備え、
前記基底マトリックスは、前記候補ビームベクトル集合内のＮ個のビームベクトルにより構成されたマトリックスであり、前記Ｎは正の整数であることを特徴とする端末。
【手続補正２】
【補正対象書類名】明細書
【補正対象項目名】０００６
【補正方法】変更
【補正の内容】
【０００６】
第１の態様によれば、チャネル状態情報を送信するための方法は、
端末が、候補ビームベクトル集合に従って、基底マトリックス（ｂａｓｉｓ ｍａｔｒｉｘ）を決定するステップであって、前記基底マトリックスは、前記候補ビームベクトル集合内のＮ個のビームベクトルにより構成されたマトリックスであり、前記Ｎは正の整数である決定するステップと、
前記端末が、前記基底マトリックス及びチャネル状態パラメータに従って、結合係数マトリックスを決定するステップと、
前記端末が、前記基底マトリックスの識別子情報及び前記結合係数マトリックスを、基地局にフィードバックするステップとを備える。
【手続補正３】
【補正対象書類名】明細書
【補正対象項目名】０００９
【補正方法】変更
【補正の内容】
【０００９】
１つの実施可能の形態では、前記端末が、候補ビームベクトル集合に従って、基底マトリックスを決定する場合、
前記端末は、メトリックの降順で前記候補ビームベクトル集合から最初のＮ個の的ビームベクトルを選択し、選択されたＮ個のビームベクトルにより構成されたマトリックスを前記基底マトリックスとして決定し、または
前記端末は、Ｌ個のビームベクトルグループのうちの１つを選択し、Ｌ個のビームベクトルグループは、前記候補ビームベクトル集合内のビームベクトルをグループ化することによって得られ、Ｌは正の整数であり、及び選択されたビームベクトルグループからＮ個のビームベクトルを選択し、選択されたＮ個のビームベクトルにより構成されたマトリックスを前記基底マトリックスとして決定し、または
前記端末は、前記候補ビームベクトル集合から、Ｔ個のビームベクトルを選択し、ＴはＮより大きい、及び前記Ｔ個のビームベクトルからＮ個のビームベクトルを選択し、選択されたＮ個のビームベクトルにより構成されたマトリックスを前記基底マトリックスとして決定する。
【手続補正４】
【補正対象書類名】明細書
【補正対象項目名】００１９
【補正方法】変更
【補正の内容】
【００１９】
第２の態様によれば、チャネル状態情報を受信するための方法は、
基地局が、端末によってフィードバックされた基底マトリックスの識別子情報及び結合係数マトリックスを受信するステップと、
前記基地局が、前記基底マトリックスの識別子情報に従って、候補ビームベクトル集合からＮ個のビームベクトルを決定するステップであって、前記Ｎ個のビームベクトルは前記基底マトリックスを構成し、前記Ｎは正の整数である前記決定するステップと、
前記基地局が、前記基底マトリックス及び前記結合係数マトリックスに従って、前記端末とのダウンリンク送信のためのプリコーディングマトリックスを決定するステップとを備える。
【手続補正５】
【補正対象書類名】明細書
【補正対象項目名】００２９
【補正方法】変更
【補正の内容】
【００２９】
１つの実施可能の形態では、前記基底マトリックス決定モジュールは、前記候補ビームベクトル集合から、メトリックの降順で最初のＮ個の的ビームベクトルを選択し、選択されたＮ個のビームベクトルにより構成されたマトリックスを前記基底マトリックスとして決定し、または、Ｌ個のビームベクトルグループのうちの１つを選択し、Ｌ個のビームベクトルグループは、前記候補ビームベクトル集合内のビームベクトルをグループ化することによって得られ、Ｌは正の整数であり、及び選択されたビームベクトルグループからＮ個のビームベクトルを選択し、選択されたＮ個のビームベクトルにより構成されたマトリックスを前記基底マトリックスとして決定し、または、前記候補ビームベクトル集合から、Ｔ個のビームベクトルを選択し、ＴはＮより大きい、及び前記Ｔ個のビームベクトルからＮ個のビームベクトルを選択し、選択されたＮ個のビームベクトルにより構成されたマトリックスを前記基底マトリックスとして決定する。
【手続補正６】
【補正対象書類名】明細書
【補正対象項目名】００４２
【補正方法】変更
【補正の内容】
【００４２】
１つの実施可能の形態では、前記プロセッサは、メモリに格納されたプログラムを読み出し、前記候補ビームベクトル集合から、メトリックの降順で最初のＮ個の的ビームベクトルを選択し、選択されたＮ個のビームベクトルにより構成されたマトリックスを前記基底マトリックスとして決定し、または、Ｌ個のビームベクトルグループのうちの１つを選択し、Ｌ個のビームベクトルグループは、前記候補ビームベクトル集合内のビームベクトルをグループ化することによって得られ、Ｌは正の整数であり、及び選択されたビームベクトルグループからＮ個のビームベクトルを選択し、選択されたＮ個のビームベクトルにより構成されたマトリックスを前記基底マトリックスとして決定し、または、前記候補ビームベクトル集合から、Ｔ個のビームベクトルを選択し、ＴはＮより大きい、及び前記Ｔ個のビームベクトルからＮ個のビームベクトルを選択し、選択されたＮ個のビームベクトルにより構成されたマトリックスを前記基底マトリックスとして決定する。
【手続補正７】
【補正対象書類名】明細書
【補正対象項目名】００６０
【補正方法】変更
【補正の内容】
【００６０】
前記候補ビームベクトル集合が基地局によって決定された後ＵＥに通知される場合、以下のように通知することができるが、これらに限られない。前記候補ビームベクトル集合内のビームベクトルの識別子情報を端末に通知する。または前記候補ビームベクトル集合のパラメータを端末に通知する。このようにして、端末は、前記パラメータに従って前記候補ビームベクトル集合を決定する。
【手続補正８】
【補正対象書類名】明細書
【補正対象項目名】００７８
【補正方法】変更
【補正の内容】
【００７８】
【数１０】
2019531655.tif 000049
【手続補正９】
【補正対象書類名】明細書
【補正対象項目名】００９５
【補正方法】変更
【補正の内容】
【００９５】
例えば、１番強いビームベクトルが決定された後、２番目に強いビームベクトルは、２番目に強いビームベクトルが１番強いビームベクトルと直交するように選択され、３番目に強いビームベクトルは、３番目に強いビームベクトルが２番目に強いビームベクトルと１番強いビームベクトルの両方に直交するように選択される。このように類推することができる。具体的には次のとおりである。
【手続補正１０】
【補正対象書類名】明細書
【補正対象項目名】００９７
【補正方法】変更
【補正の内容】
【００９７】
＜態様２＞前記端末は、Ｌ個のビームベクトルグループのうちの１つを選択し、Ｌ個のビームベクトルグループは、前記候補ビームベクトル集合内のビームベクトルをグループ化することによって得られ、Ｌは正の整数であり、及び選択されたビームベクトルグループからＮ個のビームベクトルを選択し、選択されたＮ個のビームベクトルにより構成されたマトリックスを前記基底マトリックスとして決定する。
【手続補正１１】
【補正対象書類名】明細書
【補正対象項目名】００９９
【補正方法】変更
【補正の内容】
【００９９】
当該態様では、Ｌ個のビームベクトルグループは、規定または構成することができ、あるいは基地局によって決定してＵＥに通知することができ、または、端末が前記候補ビームベクトル集合内のビームベクトルをグループ化して取得することができる。
【手続補正１２】
【補正対象書類名】明細書
【補正対象項目名】０１００
【補正方法】変更
【補正の内容】
【０１００】
任意選択で、前記端末は、前記候補ビームベクトル集合内のビームベクトル直交性に従って、前記候補ビームベクトル集合内のビームベクトルをＬ個のビームベクトルグループにグループ化する。
【手続補正１３】
【補正対象書類名】明細書
【補正対象項目名】０１０５
【補正方法】変更
【補正の内容】
【０１０５】
【数１９】
2019531655.tif 000050
【手続補正１４】
【補正対象書類名】明細書
【補正対象項目名】０１０９
【補正方法】変更
【補正の内容】
【０１０９】
端末がビームベクトルをビームベクトルグループにグループ化するとき、前記端末は、その直交性に従って、前記候補ビームベクトル集合内のビームベクトルをＬ個のビームベクトルグループにグループ化することによって、各ビームベクトルグループ内の任意の２つのビームベクトルは互いに直交している。
【手続補正１５】
【補正対象書類名】明細書
【補正対象項目名】０１１２
【補正方法】変更
【補正の内容】
【０１１２】
当該態様では、選択されたビームベクトルグループからＮ個のビームベクトルを選択する態様は、態様１で前記候補ビームベクトル集合からＮ個のビームベクトルを選択する態様と同じであり、ここでの繰り返しの説明は省略する。
【手続補正１６】
【補正対象書類名】明細書
【補正対象項目名】０１１５
【補正方法】変更
【補正の内容】
【０１１５】
当該態様では、前記候補ビームベクトル集合からＴ個のビームベクトルを選択する態様は、態様１で前記候補ビームベクトル集合からＮ個のビームベクトルを選択する態様と同じであり、ここでの繰り返しの説明は省略する。
【手続補正１７】
【補正対象書類名】明細書
【補正対象項目名】０１１６
【補正方法】変更
【補正の内容】
【０１１６】
当該態様では、前記Ｔ個のビームベクトルからＮ個のビームベクトルを選択する態様は、態様１で前記候補ビームベクトル集合からＮ個のビームベクトルを選択する態様と同じであり、ここでの繰り返しの説明は省略する。
【手続補正１８】
【補正対象書類名】明細書
【補正対象項目名】０１３９
【補正方法】変更
【補正の内容】
【０１３９】
【数３０】
2019531655.tif 000051
【手続補正１９】
【補正対象書類名】明細書
【補正対象項目名】０１４０
【補正方法】変更
【補正の内容】
【０１４０】
任意選択で、前記第１レベルの識別子情報と前記第２レベルの識別子情報は、異なる時刻にフィードバックされる。例えば、２回の第１レベルの識別子情報のフィードバック時間間隔は、２回の第２レベルの識別子情報フィードバック時間間隔より長い。ここで、周期フィードバックは、第１レベルの識別子情報をフィードバックする周期が第２レベルの識別子情報をフィードバックする周期より長いことを指す。非周期フィードバックは、第１レベルの識別子情報と第２レベルの識別子情報のフィードバックを別々にトリガーし、かつ、第２レベルの識別子情報フィードバックのトリガー頻度が第１レベルの識別子情報フィードバック頻度より高い。
【手続補正２０】
【補正対象書類名】明細書
【補正対象項目名】０１５２
【補正方法】変更
【補正の内容】
【０１５２】
Ｓ７１において、基地局は、端末によってフィードバックされた基底マトリックスの識別子情報及び結合係数マトリックスを受信する。
【手続補正２１】
【補正対象書類名】明細書
【補正対象項目名】０１５７
【補正方法】変更
【補正の内容】
【０１５７】
本発明に係る実施例では、Ｓ７３では、前記基地局が、前記基底マトリックス及び前記結合係数マトリックスに従って、プリコーディングマトリックスを決定する可能の態様は以下通りである。
【手続補正２２】
【補正対象書類名】明細書
【補正対象項目名】０１５９
【補正方法】変更
【補正の内容】
【０１５９】
本発明に係る実施例では、前記基地局が前記端末によってフィードバックされた基底マトリックスの識別子情報を受信する場合、
前記基地局は、前記端末によってフィードバックされた前記候補ビームベクトル集合内の前記Ｎ個のビームベクトルの識別子情報を受信し、具体的には、上記態様Ａで説明した通りである。または
前記基地局は、前記端末によってフィードバックされた前記Ｎ個のビームベクトルの一部または全部のビームベクトルの識別子情報のジョイント・エンコード情報を受信し、具体的には、上記態様Ｂで説明した通りである。または
前記基地局は、前記端末によってフィードバックされた前記端末によって選択されたビームベクトルグループの識別子情報、及び選択されたビームベクトルグループ内の前記Ｎ個のビームベクトルの識別子情報を受信し、前記ビームベクトルグループは、前記候補ビームベクトル集合内の一部のビームベクトルより構成され、具体的には、上記態様Ｅで説明した通りである。または
前記基地局は、前記候補ビームベクトル集合内の前記端末によってフィードバックされた前記Ｎ個のビームベクトル内の最大のメトリックを有するビームベクトルの識別子情報、及び前記候補ビームベクトル集合内の最大のメトリックを有する全てのビームベクトルに直交するビームベクトルにより構成された集合内の残りＮ−１個のビームベクトルの識別子情報を受信し、前記基地局にフィードバックする。具体的には、上記態様Ｃで説明した通りである。または
前記基地局は、前記端末によってフィードバックされた第１レベルの識別子情報及び第２レベルの識別子情報を受信し、前記第１レベルの識別子情報は、前記候補ビームベクトル集合から前記端末によって選択されたＴ個のビームベクトルの識別子情報であり、前記第２レベルの識別子情報は、前記Ｔ個のビームベクトルのうちの前記Ｎ個のビームベクトルの識別子情報である。具体的には、上記態様Ｄで説明した通りである。
【手続補正２３】
【補正対象書類名】明細書
【補正対象項目名】０１６４
【補正方法】変更
【補正の内容】
【０１６４】
図８に示す実施例による端末は、
候補ビームベクトル集合に従って、基底マトリックスを決定するように構成される、基底マトリックス決定モジュール８１と、
前記基底マトリックス及びチャネル状態パラメータに従って、結合係数マトリックスを決定するように構成される、結合係数決定モジュール８２と、
前記基底マトリックスの識別子情報及び前記結合係数マトリックスを、基地局にフィードバックするように構成される、フィードバックモジュール８３とを備える。
【手続補正２４】
【補正対象書類名】明細書
【補正対象項目名】０１６６
【補正方法】変更
【補正の内容】
【０１６６】
任意選択で、前記基底マトリックス決定モジュール８１は、
前記候補ビームベクトル集合から、メトリックの降順で最初のＮ個のビームベクトルを選択し、選択されたＮ個のビームベクトルにより構成されたマトリックスを前記基底マトリックスとして決定し、または
Ｌ個のビームベクトルグループのうちの１つを選択し、Ｌ個のビームベクトルグループは、前記候補ビームベクトル集合内のビームベクトルをグループ化することによって得られ、Ｌは正の整数であり、及び選択されたビームベクトルグループからＮ個のビームベクトルを選択し、選択されたＮ個のビームベクトルにより構成されたマトリックスを前記基底マトリックスとして決定し、または
前記候補ビームベクトル集合から、Ｔ個のビームベクトルを選択し、ＴはＮより大きく、及び前記Ｔ個のビームベクトルからＮ個のビームベクトルを選択し、選択されたＮ個のビームベクトルにより構成されたマトリックスを前記基底マトリックスとして決定する。  任意選択で、前記基底マトリックス決定モジュール８１は、
前記Ｌ個のビームベクトルグループから、最大のメトリックを有するビームベクトルの属するビームベクトルグループを選択し、または
各ビームベクトルグループそれぞれに対応するメトリックを決定し、最大のメトリックを有するビームベクトルグループを選択し、ここで、各ビームベクトルグループそれぞれに対応するメトリックは、前記ビームベクトルグループ内の各ビームベクトルのメトリックに対して事前設定操作を実行することによって得られる値である。
【手続補正２５】
【補正対象書類名】明細書
【補正対象項目名】０１７８
【補正方法】変更
【補正の内容】
【０１７８】
図９において、バスアーキテクチャは、任意の数の相互接続するバス及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、送信媒体を介して他の様々なデバイスと通信するためのユニットである、いくつかの要素、たとえば送信機および受信機とすることができる。異なるユーザ機器の場合、ユーザインターフェース６３０はまた、必要に応じて装置が内部および外部に接続されるインターフェースであり得、接続された装置は、キーパッド、モニタ、スピーカ、マイクロフォン、ジョイスティックを含むがこれらに限定されない。プロセッサ６００はバスアーキテクチャと共通処理の管理を担当し、タイミング、周辺インタフェース、電圧調整、電力管理およびその他の制御機能を含むさまざまな機能も提供する。メモリ６２０は、プロセッサ６００が動作する際に利用するデータを記憶することができる。
【手続補正２６】
【補正対象書類名】明細書
【補正対象項目名】０１９１
【補正方法】変更
【補正の内容】
【０１９１】
ここで、図１１において、バスアーキテクチャは、任意の数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、複数の部品であることができ、即ち、送信機及び受信機を備え、伝送媒体を介して他の装置と通信するユニットを提供する。プロセッサ５００はバスアーキテクチャと共通処理の管理を担当し、タイミング、周辺インタフェース、電圧調整、電力管理およびその他の制御機能を含むさまざまな機能も提供する。メモリ５２０は、プロセッサ５００が動作する際に利用するデータを記憶することができる。
【手続補正２７】
【補正対象書類名】明細書
【補正対象項目名】０１９４
【補正方法】変更
【補正の内容】
【０１９４】
本分野の技術者として、本発明の実施形態が、方法、システムまたはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つまたは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【手続補正２８】
【補正対象書類名】明細書
【補正対象項目名】０１９５
【補正方法】変更
【補正の内容】
【０１９５】
以上は本発明の実施形態の方法、装置（システム）、及びコンピュータプログラム製品のフロー図及び／またはブロック図によって、本発明を記述した。理解すべきことは、コンピュータプログラム指令によって、フロー図及び／またはブロック図における各フロー及び／またはブロックと、フロー図及び／またはブロック図におけるフロー及び／またはブロックの結合を具現できる。プロセッサはこれらのコンピュータプログラム指令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム指令を実行し、フロー図における一つまたは複数のフロー及び／またはブロック図における一つまたは複数のブロックに指定する機能を具現する。
【手続補正２９】
【補正対象書類名】明細書
【補正対象項目名】０１９６
【補正方法】変更
【補正の内容】
【０１９６】
これらのコンピュータプログラム指令は又、コンピュータまたは他のプログラム可能なデータ処理装置を特定態様で動作させるコンピュータ読取記憶装置に記憶できる。これによって、指令を含む装置は当該コンピュータ読取記憶装置内の指令を実行でき、フロー図における一つまたは複数のフロー及び／またはブロック図における一つまたは複数のブロックに指定する機能を具現する。
【手続補正３０】
【補正対象書類名】明細書
【補正対象項目名】０１９７
【補正方法】変更
【補正の内容】
【０１９７】
これらコンピュータプログラム指令はさらに、コンピュータまたは他のプログラム可能なデータ処理装置設備に実装もできる。コンピュータプログラム指令が実装されたコンピュータまたは他のプログラム可能設備は、一連の操作ステップを実行することによって、関連の処理を具現し、コンピュータまたは他のプログラム可能な設備において実行される指令によって、フロー図における一つまたは複数のフロー及び／またはブロック図における一つまたは複数のブロックに指定する機能を具現する。
【手続補正３１】
【補正対象書類名】明細書
【補正対象項目名】０１９８
【補正方法】変更
【補正の内容】
【０１９８】
上述した実施形態に記述された技術的な解決手段を改造し、またはその中の一部の技術要素を置換することもできる。そのような、改造と置換は本発明の各実施形態の技術の範囲から逸脱するとは見なされない。
【手続補正３２】
【補正対象書類名】明細書
【補正対象項目名】０１９９
【補正方法】変更
【補正の内容】
【０１９９】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【国際調査報告】
2019531655.tif 000052
2019531655.tif 000053
2019531655.tif 000054
2019531655.tif 000055
2019531655.tif 000056